(57)【要約】本願の実施例は、セカンダリアクセスネットワークデバイスとのセカンダリ接続を制御することができる通信方法、アクセスネットワークデバイス及び端末デバイスを提供し、当該方法は、第１のメインアクセスネットワークデバイスが、特定の状態にある端末デバイスが上りデータを送信する必要がある場合に送信した第１のメッセージを受信することと、前記第１のメインアクセスネットワークデバイスが、前記第１のメッセージに基づいて、前記端末デバイスとセカンダリアクセスネットワークデバイスとのセカンダリ接続を制御することとを含む。
2020519075.tif 000002
【特許請求の範囲】
【請求項１】
第１のメインアクセスネットワークデバイスが、特定の状態にある端末デバイスが上りデータを送信する必要がある場合に送信した第１のメッセージを受信することと、
前記第１のメインアクセスネットワークデバイスが、前記第１のメッセージに基づいて、前記端末デバイスとセカンダリアクセスネットワークデバイスとのセカンダリ接続を制御することとを含む
ことを特徴とする通信方法。
【請求項２】
前記特定の状態は、サスペンド状態又は非アクティブ状態である
ことを特徴とする請求項１に記載の通信方法。
【請求項３】
前記第１のメッセージは、無線リソース制御ＲＲＣメッセージである
ことを特徴とする請求項１又は２に記載の通信方法。
【請求項４】
前記第１のメッセージは、前記端末デバイスを第１の状態から第２の状態に遷移させるように要求するＲＲＣメッセージ、又は、前記端末デバイスが前記第１の状態から前記第２の状態に遷移したことを示すＲＲＣメッセージである
ことを特徴とする請求項３に記載の通信方法。
【請求項５】
前記端末デバイスが前記特定の状態に遷移する前に接続された第２のメインアクセスネットワークデバイスと前記第１のメインアクセスネットワークデバイスとが同じである場合、第１のメインアクセスネットワークデバイスが、特定の状態にある端末デバイスが上りデータを送信する必要がある場合に送信した第１のメッセージを受信する前に、前記方法は、さらに、
前記第１のメインアクセスネットワークデバイスが、前記端末デバイスとセカンダリアクセスネットワークデバイスとのセカンダリ接続をサスペンドし、前記端末デバイスを前記特定の状態に遷移させることを含む
ことを特徴とする請求項１〜４のいずれか１項に記載の通信方法。
【請求項６】
前記第１のメインアクセスネットワークデバイスが、前記第１のメッセージに基づいて、前記端末デバイスとセカンダリアクセスネットワークデバイスとのセカンダリ接続を制御することは、
前記第１のメッセージがセカンダリアクセスネットワークのリンク品質情報を含む場合、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することを含む
ことを特徴とする請求項１〜５のいずれか１項に記載の通信方法。
【請求項７】
前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記セカンダリアクセスネットワークのリンク品質情報が前記セカンダリアクセスネットワークが利用可能であることを示し、又は、前記セカンダリアクセスネットワークのリンク品質が所定の条件を満たしている場合、前記第１のメインアクセスネットワークデバイスが、前記端末デバイスと前記セカンダリアクセスネットワークデバイスとのセカンダリ接続を再開するように制御すること、又は、
前記セカンダリアクセスネットワークのリンク品質情報が前記セカンダリアクセスネットワークが利用不可であることを示し、又は、前記セカンダリアクセスネットワークのリンク品質が所定の条件を満たさない場合、前記第１のメインアクセスネットワークデバイスが、前記端末デバイスと前記セカンダリアクセスネットワークデバイスとのセカンダリ接続を解放するように制御することを含む
ことを特徴とする請求項６に記載の通信方法。
【請求項８】
前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記セカンダリアクセスネットワークのリンク品質情報が前記セカンダリアクセスネットワークのリンク品質値を示す場合、前記第１のメインアクセスネットワークデバイスが、前記セカンダリアクセスネットワークのリンク品質値に基づいて、前記端末デバイスと前記セカンダリアクセスネットワークデバイスとのセカンダリ接続を制御することを含む
ことを特徴とする請求項６に記載の通信方法。
【請求項９】
前記第１のメインアクセスネットワークデバイスが、前記セカンダリアクセスネットワークのリンク品質値に基づいて、前記端末デバイスとセカンダリアクセスネットワークデバイスとのセカンダリ接続を制御することは、
前記セカンダリアクセスネットワークのリンク品質値が所定のリンク品質閾値の以上である場合、前記第１のメインアクセスネットワークデバイスが、前記端末デバイスと前記セカンダリアクセスネットワークデバイスとのセカンダリ接続を再開するように制御すること、又は、
前記セカンダリアクセスネットワークのリンク品質値が前記所定のリンク品質閾値より小さい場合、前記第１のメインアクセスネットワークデバイスが、前記端末デバイスと前記セカンダリアクセスネットワークデバイスとのセカンダリ接続を解放するように制御することを含む
ことを特徴とする請求項８に記載の通信方法。
【請求項１０】
前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記第１のメッセージが前記セカンダリアクセスネットワークのリンク品質情報を含まれない場合、前記第１のメインアクセスネットワークデバイスが、前記端末デバイスと前記セカンダリアクセスネットワークデバイスとのセカンダリ接続を解放するように制御することを含む
ことを特徴とする請求項１〜５のいずれか１項に記載の通信方法。
【請求項１１】
前記第１のメッセージが第１の指示情報を含み、前記第１の指示情報は、前記端末デバイスが前記セカンダリ接続の再開又は解放を要求することを示し、
前記第１のメインアクセスネットワークデバイスが、前記第１のメッセージに基づいて、前記端末デバイスとセカンダリアクセスネットワークデバイスとのセカンダリ接続を制御することは、
前記第１のメインアクセスネットワークデバイスが前記第１のメッセージの前記第１の指示情報に基づいて、前記端末デバイスとセカンダリアクセスネットワークデバイスとのセカンダリ接続を制御することを含む
ことを特徴とする請求項１〜５のいずれか１項に記載の通信方法。
【請求項１２】
前記第１のメインアクセスネットワークデバイスが前記第１のメッセージの前記第１の指示情報に基づいて、前記端末デバイスとセカンダリアクセスネットワークデバイスとのセカンダリ接続を制御することは、
前記第１の指示情報が前記端末デバイスが前記セカンダリ接続の再開を要求することを示す場合、前記第１のメインアクセスネットワークデバイスが、前記端末デバイスと前記セカンダリアクセスネットワークデバイスとのセカンダリ接続を再開するように制御すること、又は、
前記第１の指示情報が前記端末デバイスが前記セカンダリ接続の解放を要求することを示す場合、前記第１のメインアクセスネットワークデバイスが、前記端末デバイスと前記セカンダリアクセスネットワークデバイスとのセカンダリ接続を解放するように制御することを含む
ことを特徴とする請求項１１に記載の通信方法。
【請求項１３】
前記第１のメインアクセスネットワークデバイスが、前記端末デバイスと前記セカンダリアクセスネットワークデバイスとのセカンダリ接続を再開するように制御することは、
前記第１のメインアクセスネットワークデバイスが前記セカンダリアクセスネットワークデバイスに第２のメッセージを送信することと、
前記第１のメインアクセスネットワークデバイスが前記セカンダリアクセスネットワークデバイスにより送信された前記第２のメッセージの応答メッセージを受信することとを含み、
前記第２のメッセージは、前記セカンダリネットワークデバイスが前記セカンダリ接続を再開するように要求し、前記第２のメッセージの応答メッセージは、前記セカンダリアクセスネットワークデバイスが前記セカンダリ接続を再開したことを示す
ことを特徴とする請求項７、９、１２のいずれか１項に記載の通信方法。
【請求項１４】
前記第１のメインアクセスネットワークデバイスが前記セカンダリアクセスネットワークデバイスにより送信された前記第２のメッセージの応答メッセージを受信した後、前記方法は、さらに、
前記第１のメインアクセスネットワークデバイスが前記端末デバイスに第３のメッセージを送信することを含み、
前記第３のメッセージは、前記セカンダリ接続に関連する構成を再開することを前記端末デバイスに通知する
ことを特徴とする請求項１３に記載の通信方法。
【請求項１５】
前記第３のメッセージは、ＲＲＣメッセージである
ことを特徴とする請求項１４に記載の通信方法。
【請求項１６】
前記第１のメインアクセスネットワークデバイスが、前記端末デバイスと前記セカンダリアクセスネットワークデバイスとのセカンダリ接続を解放するように制御することは、
前記第１のメインアクセスネットワークデバイスが前記セカンダリネットワークデバイスに第４のメッセージを送信することと、
前記第１のメインアクセスネットワークデバイスが前記セカンダリアクセスネットワークデバイスにより送信された前記第４のメッセージの応答メッセージを受信することとを含み、
前記第４のメッセージは、前記セカンダリアクセスネットワークデバイスが前記セカンダリ接続を解放するように要求し、前記第４のメッセージの応答メッセージは、前記セカンダリアクセスネットワークデバイスが前記セカンダリ接続を解放したことを示す
ことを特徴とする請求項７、９、１２のいずれか１項に記載の通信方法。
【請求項１７】
前記第１のメインアクセスネットワークデバイスが前記セカンダリアクセスネットワークデバイスにより送信された前記第４のメッセージの応答メッセージを受信した後、前記方法は、さらに、
前記第１のメインアクセスネットワークデバイスが前記端末デバイスに第５のメッセージを送信することを含み、前記第５のメッセージは、前記セカンダリアクセスネットワークデバイスが前記セカンダリ接続を解放したことを前記端末デバイスに通知する
ことを特徴とする請求項１６に記載の通信方法。
【請求項１８】
前記第５のメッセージが第２の指示情報を含み、前記第２の指示情報は、前記端末デバイスが前記セカンダリ接続に関連する構成情報を解放するように指示する
ことを特徴とする請求項１７に記載の通信方法。
【請求項１９】
前記第５のメッセージは、ＲＲＣメッセージである
ことを特徴とする請求項１７又は１８に記載の通信方法。
【請求項２０】
前記端末デバイスが前記特定の状態に遷移する前に接続された第２のメインアクセスネットワークデバイスと前記第１のメインアクセスネットワークデバイスとが異なる場合、  前記方法は、さらに、
前記第１のメインアクセスネットワークデバイスが前記第２のメインアクセスネットワークデバイスから前記セカンダリ接続の構成情報を取得することを含み、前記セカンダリ接続の構成情報は、前記第１のメインアクセスネットワークデバイスが前記セカンダリ接続の構成情報に基づいて前記セカンダリ接続を制御するために用いられる
ことを特徴とする請求項１〜１９のいずれか１項に記載の通信方法。
【請求項２１】
前記第１のメインアクセスネットワークデバイスが前記第２のメインアクセスネットワークデバイスから前記セカンダリ接続の構成情報を取得することは、
前記第１のメインアクセスネットワークデバイスが前記第２のメインアクセスネットワークデバイスに第６のメッセージを送信することと、
前記第１のメインアクセスネットワークデバイスが前記第２のメインアクセスネットワークデバイスにより送信された前記第６のメッセージの応答メッセージを受信することとを含み、
前記第６のメッセージは、前記端末デバイスの前記第２のメインアクセスネットワークのコンテキスト情報を取得するように要求し、前記第６のメッセージの応答メッセージが前記セカンダリ接続の構成情報を含む
ことを特徴とする請求項２０に記載の通信方法。
【請求項２２】
特定の状態にある端末デバイスが上りデータの伝送が必要であると確定することと、
前記端末デバイスが第１のメインアクセスネットワークデバイスに第１のメッセージを送信することとを含み、
前記第１のメッセージは、前記第１のメインアクセスネットワークデバイスが前記端末デバイスとセカンダリアクセスネットワークデバイスとのセカンダリ接続を制御するために用いられる
ことを特徴とする通信方法。
【請求項２３】
前記特定の状態は、サスペンド状態又は非アクティブ状態である
ことを特徴とする請求項２２に記載の通信方法。
【請求項２４】
前記第１のメッセージは、無線リソース制御ＲＲＣメッセージである
ことを特徴とする請求項２２又は２３に記載の通信方法。
【請求項２５】
前記第１のメッセージは、前記端末デバイスを第１の状態から第２の状態に遷移させるように要求するＲＲＣメッセージ、又は、前記端末デバイスが前記第１の状態から前記第２の状態に遷移したことを示すＲＲＣメッセージである
ことを特徴とする請求項２４に記載の通信方法。
【請求項２６】
前記端末デバイスが第１のメインアクセスネットワークデバイスに第１のメッセージを送信する前に、前記方法は、さらに、
前記端末デバイスが前記セカンダリアクセスネットワークのリンク品質を検定することを含み、
前記端末デバイスが第１のメインアクセスネットワークデバイスに第１のメッセージを送信することは、
前記端末デバイスが前記セカンダリアクセスネットワークのリンク品質情報を含む前記第１のメッセージを第１のメインアクセスネットワークデバイスに送信することを含む
ことを特徴とする請求項２２〜２５のいずれか１項に記載の通信方法。
【請求項２７】
前記セカンダリアクセスネットワークのリンク品質情報は、前記セカンダリアクセスネットワークが利用可能であること、又は、前記セカンダリアクセスネットワークのリンク品質が所定の条件を満たしていることを示し、又は、
前記セカンダリアクセスネットワークのリンク品質情報は、前記セカンダリアクセスネットワークが利用不可であること、又は、前記セカンダリアクセスネットワークのリンク品質が所定の条件を満たさないことを示し、又は、
前記セカンダリアクセスネットワークのリンク品質情報は、前記セカンダリアクセスネットワークのリンク品質値を示す
ことを特徴とする請求項２６に記載の通信方法。
【請求項２８】
前記第１のメッセージが第１の指示情報を含み、前記第１の指示情報は、前記端末デバイスが前記セカンダリ接続の再開又は解放を要求することを示す
ことを特徴とする請求項２２〜２５のいずれか１項に記載の通信方法。
【請求項２９】
前記方法は、さらに、
前記端末デバイスが前記第１のメインアクセスネットワークデバイスにより送信された第２のメッセージを受信することを含み、前記第２のメッセージは、前記セカンダリ接続に関連する構成情報を再開することを前記端末デバイスに通知する
ことを特徴とする請求項２２〜２８のいずれか１項に記載の通信方法。
【請求項３０】
前記第２のメッセージはＲＲＣメッセージである
ことを特徴とする請求項２９に記載の通信方法。
【請求項３１】
前記方法は、さらに、
前記端末デバイスが前記第１のメインアクセスネットワークデバイスにより送信された第３のメッセージを受信することを含み、前記第３のメッセージは、前記セカンダリアクセスネットワークデバイスが前記セカンダリ接続を解放したことを前記端末デバイスに通知する
ことを特徴とする請求項２２〜２８のいずれか１項に記載の通信方法。
【請求項３２】
前記第３のメッセージが第２の指示情報を含み、前記第２の指示情報は、前記端末デバイスが前記セカンダリ接続に関連する構成情報を解放するように指示する
ことを特徴とする請求項３１に記載の通信方法。
【請求項３３】
前記第３のメッセージは、ＲＲＣメッセージである
ことを特徴とする請求項３１又は３２に記載の通信方法。
【請求項３４】
前記方法は、さらに、
前記端末デバイスが前記第２のアクセスネットワークデバイスにより送信された第４のメッセージを受信することと、 
前記端末デバイスが前記第４のメッセージに基づいて、前記端末デバイスと前記セカンダリアクセスネットワークデバイスとのセカンダリ接続をサスペンドすることとを含み、
前記第２のアクセスネットワークデバイスは、前記端末デバイスが前記特定の状態に遷移する前に接続されたメインアクセスネットワークデバイスである
ことを特徴とする請求項２２〜３３のいずれか１項に記載の通信方法。
【請求項３５】
前記第４のメッセージはＲＲＣメッセージである
ことを特徴とする請求項３４に記載の通信方法。
【請求項３６】
特定の状態にある端末デバイスが上りデータを伝送する必要がある場合に送信した第１のメッセージを受信するように構成される通信モジュールと、
前記第１のメッセージに基づいて前記端末デバイスとセカンダリアクセスネットワークデバイスとのセカンダリ接続を制御するように構成される制御モジュールとを含む
ことを特徴とするアクセスネットワークデバイス。
【請求項３７】
前記特定の状態は、サスペンド状態又は非アクティブ状態である
ことを特徴とする請求項３６に記載のアクセスネットワークデバイス。
【請求項３８】
前記第１のメッセージは、無線リソース制御ＲＲＣメッセージである
ことを特徴とする請求項３６又は３７に記載のアクセスネットワークデバイス。
【請求項３９】
前記第１のメッセージは、前記端末デバイスを第１の状態から第２の状態に遷移させるように要求するＲＲＣメッセージであり、又は、前記端末デバイスが前記第１の状態から前記第２の状態に遷移したことを示すＲＲＣメッセージである
ことを特徴とする請求項３８に記載のアクセスネットワークデバイス。
【請求項４０】
前記端末デバイスが前記特定の状態に遷移する前に接続された第２のメインアクセスネットワークデバイスと前記アクセスネットワークデバイスとが同じである場合、前記通信モジュールが前記第１のメッセージを受信する前に、
前記制御モジュールは、さらに、
前記端末デバイスとセカンダリアクセスネットワークデバイスとのセカンダリ接続をサスペンドし、前記端末デバイスを前記特定の状態に遷移させるように構成される
ことを特徴とする請求項３６〜３９のいずれか１項に記載のアクセスネットワークデバイス。
【請求項４１】
前記制御モジュールは、
前記第１のメッセージがセカンダリアクセスネットワークのリンク品質情報を含む場合、前記セカンダリアクセスネットワークのリンク品質情報に基づいて、前記端末デバイスと前記セカンダリアクセスネットワークデバイスとのセカンダリ接続を制御するように構成される
ことを特徴とする請求項３６〜４０のいずれか１項に記載のアクセスネットワークデバイス。
【請求項４２】
前記制御モジュールは、
前記セカンダリアクセスネットワークのリンク品質情報が前記セカンダリアクセスネットワークが利用可能であることを示し、又は、前記セカンダリアクセスネットワークのリンク品質が所定の条件を満たしている場合、前記端末デバイスと前記セカンダリアクセスネットワークデバイスとのセカンダリ接続を再開するように制御し、又は、
前記セカンダリアクセスネットワークのリンク品質情報が前記セカンダリアクセスネットワークが利用不可であることを示し、又は、前記セカンダリアクセスネットワークのリンク品質が所定の条件を満たさない場合、前記端末デバイスと前記セカンダリアクセスネットワークデバイスとのセカンダリ接続を解放するように制御するように構成される
ことを特徴とする請求項４１に記載のアクセスネットワークデバイス。
【請求項４３】
前記制御モジュールは、さらに、
前記セカンダリアクセスネットワークのリンク品質情報が前記セカンダリアクセスネットワークのリンク品質値を示す場合、前記セカンダリアクセスネットワークのリンク品質値に基づいて、前記端末デバイスと前記セカンダリアクセスネットワークデバイスとのセカンダリ接続を制御するように構成される
ことを特徴とする請求項４１に記載のアクセスネットワークデバイス。
【請求項４４】
前記制御モジュールは、
前記セカンダリアクセスネットワークのリンク品質値が所定のリンク品質閾値の以上である場合、前記端末デバイスと前記セカンダリアクセスネットワークデバイスとのセカンダリ接続を再開するように制御し、又は、
前記セカンダリアクセスネットワークのリンク品質値が前記所定のリンク品質閾値より小さい場合、前記端末デバイスと前記セカンダリアクセスネットワークデバイスとのセカンダリ接続を解放するように制御するように構成される
ことを特徴とする請求項４３に記載のアクセスネットワークデバイス。
【請求項４５】
前記制御モジュールは、さらに、
前記第１のメッセージが前記セカンダリアクセスネットワークのリンク品質情報を含まれない場合、前記端末デバイスと前記セカンダリアクセスネットワークデバイスとのセカンダリ接続を解放するように制御するように構成される
ことを特徴とする請求項３６〜４０のいずれか１項に記載のアクセスネットワークデバイス。
【請求項４６】
前記第１のメッセージが第１の指示情報を含み、前記第１の指示情報は、前記端末デバイスが前記セカンダリ接続の再開又は解放を要求することを示し、
前記制御モジュールは、さらに、
前記第１のメッセージの前記第１の指示情報に基づいて、前記端末デバイスとセカンダリアクセスネットワークデバイスとのセカンダリ接続を制御するように構成される
ことを特徴とする請求項３６〜４０のいずれか１項に記載のアクセスネットワークデバイス。
【請求項４７】
前記制御モジュールは、
前記第１の指示情報が前記端末デバイスが前記セカンダリ接続の再開を要求することを示す場合、前記端末デバイスと前記セカンダリアクセスネットワークデバイスとのセカンダリ接続を再開するように制御し、又は、
前記第１の指示情報が前記端末デバイスが前記セカンダリ接続の解放を要求することを示す場合、前記端末デバイスと前記セカンダリアクセスネットワークデバイスとのセカンダリ接続を解放するように制御するように構成される
ことを特徴とする請求項４６に記載のアクセスネットワークデバイス。
【請求項４８】
前記通信モジュールは、さらに、
前記セカンダリアクセスネットワークデバイスに第２のメッセージを送信し、前記セカンダリアクセスネットワークデバイスにより送信された前記第２のメッセージの応答メッセージを受信するように構成され、
前記第２のメッセージは、前記セカンダリネットワークデバイスが前記セカンダリ接続を再開するように要求し、前記第２のメッセージの応答メッセージは、前記セカンダリアクセスネットワークデバイスが前記セカンダリ接続を再開したことを示す
ことを特徴とする請求項４２、４４、４７のいずれか１項に記載のアクセスネットワークデバイス。
【請求項４９】
前記通信モジュールは、さらに、
前記端末デバイスに第３のメッセージを送信するように構成され、前記第３のメッセージは、前記セカンダリ接続に関連する構成を再開することを前記端末デバイスに通知する
ことを特徴とする請求項４８に記載のアクセスネットワークデバイス。
【請求項５０】
前記第３のメッセージは、ＲＲＣメッセージである
ことを特徴とする請求項４９に記載のアクセスネットワークデバイス。
【請求項５１】
前記通信モジュールは、さらに、
前記セカンダリネットワークデバイスに第４のメッセージを送信し、前記セカンダリアクセスネットワークデバイスにより送信された前記第４のメッセージの応答メッセージを受信するように構成され、
前記第４のメッセージは、前記セカンダリネットワークデバイスが前記セカンダリ接続を解放するように要求し、前記第４のメッセージの応答メッセージは、前記セカンダリアクセスネットワークデバイスが前記セカンダリ接続を解放したことを示す
ことを特徴とする請求項４２、４４、４７のいずれか１項に記載のアクセスネットワークデバイス。
【請求項５２】
前記通信モジュールは、さらに、
前記端末デバイスに第５のメッセージを送信するように構成され、前記第５のメッセージは、前記セカンダリアクセスネットワークデバイスが前記セカンダリ接続を解放したことを前記端末デバイスに通知する
ことを特徴とする請求項５１に記載のアクセスネットワークデバイス。
【請求項５３】
前記第５のメッセージが第２の指示情報を含み、前記第２の指示情報は、前記端末デバイスが前記セカンダリ接続に関連する構成情報を解放するように指示する
ことを特徴とする請求項５２に記載のアクセスネットワークデバイス。
【請求項５４】
前記第５のメッセージは、ＲＲＣメッセージである
ことを特徴とする請求項５２又は５３に記載のアクセスネットワークデバイス。
【請求項５５】
前記端末デバイスが前記特定の状態に遷移する前に接続された第２のメインアクセスネットワークデバイスと前記アクセスネットワークデバイスとが異なる場合、前記アクセスネットワークデバイスは、さらに、
前記第２のメインアクセスネットワークデバイスから前記セカンダリ接続の構成情報を取得するように構成される取得モジュールを含む
ことを特徴とする請求項３６〜５４のいずれか１項に記載のアクセスネットワークデバイス。
【請求項５６】
前記通信モジュールは、
前記第２のメインアクセスネットワークデバイスに第６のメッセージを送信し、
前記第２のメインアクセスネットワークデバイスにより送信された前記第６のメッセージの応答メッセージを受信するように構成され、
前記第６のメッセージは、前記端末デバイスの前記第２のメインアクセスネットワークのコンテキスト情報を取得するように要求し、前記第６のメッセージの応答メッセージが前記セカンダリ接続の構成情報を含む
ことを特徴とする請求項５５に記載のアクセスネットワークデバイス。
【請求項５７】
前記端末デバイスが特定の状態にある場合、上りデータの伝送する必要があると確定するように構成される確定モジュールと、
第１のメインアクセスネットワークデバイスに第１のメッセージを送信するように構成される通信モジュールとを含み、
前記第１のメッセージは、前記第１のメインアクセスネットワークデバイスが前記端末デバイスとセカンダリアクセスネットワークデバイスとのセカンダリ接続を制御するために用いられる
ことを特徴とする端末デバイス。
【請求項５８】
前記特定の状態は、サスペンド状態又は非アクティブ状態である
ことを特徴とする請求項５７に記載の端末デバイス。
【請求項５９】
前記第１のメッセージは、無線リソース制御ＲＲＣメッセージである
ことを特徴とする請求項５７又は５８に記載の端末デバイス。
【請求項６０】
前記第１のメッセージは、前記端末デバイスを第１の状態から第２の状態に遷移させるように要求するＲＲＣメッセージであり、又は、前記端末デバイスが前記第１の状態から前記第２の状態に遷移したことを示すＲＲＣメッセージである
ことを特徴とする請求項５９に記載の端末デバイス。
【請求項６１】
前記端末デバイスは、さらに、
前記セカンダリアクセスネットワークのリンク品質を検定するように構成される検定モジュールを含み、
前記通信モジュールは、さらに、
前記セカンダリアクセスネットワークのリンク品質情報を含む前記第１のメッセージを前記第１のメインアクセスネットワークデバイスに送信するように構成される
ことを特徴とする請求項５７〜６０のいずれか１項に記載の端末デバイス。
【請求項６２】
前記セカンダリアクセスネットワークのリンク品質情報は、前記セカンダリアクセスネットワークが利用可能であること、又は、前記セカンダリアクセスネットワークのリンク品質が所定の条件を満たしていることを示し、又は、
前記セカンダリアクセスネットワークのリンク品質情報は、前記セカンダリアクセスネットワークが利用不可であること、又は、前記セカンダリアクセスネットワークのリンク品質が所定の条件を満たさないことを示し、又は、
前記セカンダリアクセスネットワークのリンク品質情報は、前記セカンダリアクセスネットワークのリンク品質値を示す
ことを特徴とする請求項６１に記載の端末デバイス。
【請求項６３】
前記第１のメッセージが第１の指示情報を含み、前記第１の指示情報は、前記端末デバイスが前記セカンダリ接続の再開又は解放を要求することを示す
ことを特徴とする請求項５７〜６０のいずれか１項に記載の端末デバイス。
【請求項６４】
前記通信モジュールは、さらに、
前記第１のメインアクセスネットワークデバイスにより送信された第２のメッセージを受信するように構成され、前記第２のメッセージは、前記セカンダリ接続に関連する構成情報を再開することを前記端末デバイスに通知する
ことを特徴とする請求項５７〜６３のいずれか１項に記載の端末デバイス。
【請求項６５】
前記第２のメッセージはＲＲＣメッセージである
ことを特徴とする請求項６４に記載の端末デバイス。
【請求項６６】
前記通信モジュールは、さらに、
前記第１のメインアクセスネットワークデバイスにより送信された第３のメッセージを受信するように構成され、前記第３のメッセージは、前記セカンダリアクセスネットワークデバイスが前記セカンダリ接続を解放したことを前記端末デバイスに通知する
ことを特徴とする請求項５７〜６３のいずれか１項に記載の端末デバイス。
【請求項６７】
前記第３のメッセージが第２の指示情報を含み、前記第２の指示情報は、前記端末デバイスが前記セカンダリ接続に関連する構成情報を解放するように指示する
ことを特徴とする請求項６６に記載の端末デバイス。
【請求項６８】
前記第３のメッセージは、ＲＲＣメッセージである
ことを特徴とする請求項６６又は６７に記載の端末デバイス。
【請求項６９】
前記通信モジュールは、さらに、
前記第２のアクセスネットワークデバイスにより送信された第４のメッセージを受信するように構成され、前記第２のアクセスネットワークデバイスは、前記端末デバイスが前記特定の状態に遷移する前に接続されたメインアクセスネットワークデバイスであり、 
前記端末デバイスは、さらに、
前記第４のメッセージに基づいて、前記端末デバイスと前記セカンダリアクセスネットワークデバイスとのセカンダリ接続をサスペンドするように構成される制御モジュールを含む
ことを特徴とする請求項５７〜６８のいずれか１項に記載の端末デバイス。
【請求項７０】
前記第４のメッセージはＲＲＣメッセージである
ことを特徴とする請求項６９に記載の端末デバイス。
【発明の詳細な説明】
【技術分野】
【０００１】
本願は、通信分野に関し、具体的に、通信方法、アクセスネットワークデバイス及び端末デバイスに関する。
【背景技術】
【０００２】
非独立型（Ｎｏｎ−ｓｔａｎｄａｌｏｎｅ）ネットワークの構成シーンにおいて、端末デバイスは、ロングタームエボリューション( Ｌｏｎｇ Ｔｅｒｍ Ｅｖｏｌｕｔｉｏｎ：ＬＴＥ)ネットワーク及び新しい無線(Ｎｅｗ Ｒａｄｉｏ：ＮＲ)ネットワークを介してデータを同時に受信又は送信することができ、この技術は、マルチ(デュアル)接続技術と呼ばれることがある。
【０００３】
端末デバイスのマルチ(デュアル)接続には、メイン接続と１または複数のセカンダリ接続とがある。メイン接続は、端末デバイスとメインアクセスネットワークデバイスとのネットワーク接続であり、セカンダリ接続は、端末デバイスとセカンダリアクセスネットワークデバイスとのネットワーク接続であり、例えば、ＬＴＥ＋ＮＲセルの構成シーンでは、メインアクセスネットワークデバイスは、ＬＴＥネットワークのアクセスネットワークデバイスであり、セカンダリアクセスネットワークデバイスは、ＮＲネットワークのアクセスネットワークデバイスであってもよい。端末デバイスの制御プレーンデータは、メイン接続を介して伝送され、端末デバイスのユーザプレーンデータは、ユーザプレーンデータスループットを向上させるために、２つのルートのメイン接続とセカンダリ接続とに分けて同時に伝送されることができ、あるいは、ユーザプレーンデータは、セカンダリ接続のみによって伝送されてもよく、これによって、メインアクセスネットワークデバイスの負荷が軽減される。
【０００４】
ＬＴＥシステムでは、サスペンド状態及び軽接続(ｌｉｇｈｔ ｃｏｎｎｅｃｔｉｏｎ)状態が導入され、ＮＲシステムでは、非アクティブ状態が導入され、端末デバイスがデータを伝送する必要がないときにアクセスネットワークデバイスが端末デバイスをこれらの状態に遷移させる。端末デバイスは、この状態でネットワークデバイスとの間で無線リソース制御(Ｒａｄｉｏ Ｒｅｓｏｕｒｃｅ Ｃｏｎｔｒｏｌ：ＲＲＣ )接続を維持しているが、データを伝送しないか、または、少ない量のデータしか伝送しない。端末デバイスは、上りデータの送信が必要な場合、正常にデータを送信できる状態に遷移することを要求することで、データの送信を行う。
【０００５】
そこで、端末デバイスとセカンダリアクセスネットワークデバイスとの間のセカンダリ接続をどのように制御して、その後のデータ伝送を行うかが課題となっている。
【発明の概要】
【０００６】
本願の実施例は、端末デバイスとセカンダリアクセスネットワークデバイスとのセカンダリ接続を制御することができる通信方法、アクセスネットワークデバイス及び端末デバイスを提供する。
【０００７】
第１の形態は、通信方法を提供し、第１のメインアクセスネットワークデバイスが、特定の状態にある端末デバイスが上りデータを送信する必要がある場合に送信した第１のメッセージを受信することと、
前記第１のメインアクセスネットワークデバイスが、前記第１のメッセージに基づいて、前記端末デバイスとセカンダリアクセスネットワークデバイスとのセカンダリ接続を制御することとを含む。 
なお、特定の状態は、端末デバイスがアクセスネットワークデバイスとの間でデータ伝送を行うことができない状態、又は、アクセスネットワークデバイスとの間で少ない量のデータ伝送を行うことができる状態であり、例えば、特定の状態は、サスペンド状態、又は、軽接続状態、又は、非アクティブ状態である。
【０００８】
任意選択で、第１のメインアクセスネットワークデバイスは、第１のメッセージに含まれるメッセージ内容に従って、端末デバイスとセカンダリアクセスネットワークデバイスとの間のセカンダリ接続を制御し得る。例えば、第１のメッセージは、端末デバイスと１つ以上のセカンダリアクセスネットワークデバイスとの間のリンク品質情報を含み、第１のメインアクセスネットワークデバイスは、リンク品質情報に基づいて、端末デバイスと１つ以上のセカンダリアクセスネットワークデバイスとの間の１つ以上のセカンダリ接続からセカンダリ接続の一部または全部を選択して、端末デバイスのための上りデータ伝送を継続してもよく、または、セカンダリ接続の一部または全部を解放してもよく、または、メインアクセスネットワークデバイスは、端末デバイスのための上りデータ送信のために、端末デバイスと他のセカンダリアクセスネットワークデバイスとの間のセカンダリ接続を確立してもよく、本開示の実施例はこれに限定されない。
【０００９】
第１の形態と結合し、第１の形態のある実現方式において、前記特定の状態は、サスペンド状態又は非アクティブ状態である。
【００１０】
第１の形態と結合し、第１の形態のある実現方式において、前記第１のメッセージは、無線リソース制御ＲＲＣメッセージである。 
第１の形態と結合し、第１の形態のある実現方式において、前記第１のメッセージは、前記端末デバイスを第１の状態から第２の状態に遷移させるように要求するＲＲＣメッセージであり、又は、前記端末デバイスが前記第１の状態から前記第２の状態に遷移したことを示すＲＲＣメッセージである。
【００１１】
例えば、前記第１のＲＲＣメッセージは、前記端末デバイスが状態変換を行うための１番目のＲＲＣメッセージ又は３番目のＲＲＣメッセージであってもよく、具体的に、前記第１のメッセージは、ＲＲＣ接続要求（ＲＲＣ Ｃｏｎｎｅｃｔｉｏｎ Ｒｅｑｕｅｓｔ）メッセージ又はＲＲＣ接続確立完了メッセージ（ＲＲＣ Ｃｏｎｎｅｃｔｉｏｎ Ｓｅｔｕｐ Ｃｏｍｐｌｅｔｅ）メッセージを含む。
【００１２】
任意選択で、前記第１のメッセージは、端末デバイスとアクセスネットワークデバイスとが通信するためのメッセージであってもよく、例えば、物理層メッセージ又はメディアアクセス制御（Ｍｅｄｉａ Ａｃｃｅｓｓ Ｃｏｎｔｒｏｌ：ＭＡＣ）層のメッセージ等であってもよく、本願の実施例はこれに限定されない。
【００１３】
第１の形態と結合し、第１の形態のある実現方式において、前記端末デバイスが前記特定の状態に遷移する前に接続された第２のメインアクセスネットワークデバイスと前記第１のメインアクセスネットワークデバイスとが同じである場合、第１のメインアクセスネットワークデバイスが、特定の状態にある端末デバイスが上りデータを送信する必要がある場合に送信した第１のメッセージを受信する前に、前記方法は、さらに、
前記第１のメインアクセスネットワークデバイスが、前記端末デバイスとセカンダリアクセスネットワークデバイスとのセカンダリ接続をサスペンドし、前記端末デバイスを前記特定の状態に遷移させることを含む。
【００１４】
第１の形態と結合し、第１の形態のある実現方式において、前記第１のメインアクセスネットワークデバイスが、前記第１のメッセージに基づいて、前記端末デバイスとセカンダリアクセスネットワークデバイスとのセカンダリ接続を制御することは、
前記第１のメッセージがセカンダリアクセスネットワークのリンク品質情報を含む場合、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することを含む。
【００１５】
本願の実施例において、前記セカンダリアクセスネットワークのリンク品質情報は、非アクティブ状態になる前に前記端末デバイスと接続を確立していたセカンダリアクセスネットワークのリンク品質情報を含んでもよいし、前記第１のメインアクセスネットワークデバイスの周囲のセカンダリアクセスネットワークのリンク品質情報を含んでもよく、前記第１のアクセスネットワークデバイスは、前記セカンダリアクセスネットワークのリンク品質情報に応じて、サスペンド状態のセカンダリ接続を再開するか、それとも、サスペンド状態のセカンダリ接続を解放するかを確定してもよい。又は、前記第１のメインアクセスネットワークデバイスは、この第１のメインアクセスネットワークデバイスの周囲のセカンダリアクセスネットワークのリンク品質情報に基づいて、前記端末デバイスのデータ伝送に使用可能なセカンダリアクセスネットワークを選択することで、該端末デバイスのための新たなセカンダリ接続を確立するようにしてもよい。
【００１６】
又は、端末デバイスは、検出されたセカンダリアクセスネットワークのリンク品質情報に基づいて、セカンダリアクセスネットワークが利用可能か否か、又は、セカンダリアクセスネットワークのリンク品質が予め設定された条件を満たすか否かを判定し、この場合、第１のメッセージに含まれるセカンダリアクセスネットワークのリンク品質情報は、端末デバイスにより確定されたセカンダリアクセスネットワークが利用可能か否か、又は、セカンダリアクセスネットワークのリンク品質が予め設定された条件を満たすか否かの情報であってもよい。そして、セカンダリアクセスネットワークのリンク品質情報は、セカンダリアクセスネットワークが利用可能か否か、又は、セカンダリアクセスネットワークのリンク品質が予め設定された条件を満たすか否かを示す情報であると理解されてもよい。この場合、セカンダリアクセスネットワークのリンク品質情報は、セカンダリアクセスネットワークが利用可能か否か、又は、セカンダリアクセスネットワークのリンク品質が予め設定された条件を満たすか否かを示す１ビットの指示情報であってもよい。
【００１７】
又は、端末デバイスは、検出された第１のメインアクセスネットワークの周囲のセカンダリアクセスネットワークのリンク品質情報に基づいて、少なくとも１つのセカンダリアクセスネットワークを確定し、第１のメッセージには、端末デバイスがセカンダリ接続を確立することを勧めるか又は希望する少なくとも１つのセカンダリアクセスネットワークを示す情報が含まれ、第１のメインアクセスネットワークは、第１のメッセージに基づいて、端末デバイスと少なくとも１つのセカンダリアクセスネットワークの一部又は全部とのセカンダリ接続を確立することができる。
【００１８】
第１の形態と結合し、第１の形態のある実現方式において、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記セカンダリアクセスネットワークのリンク品質情報が前記セカンダリアクセスネットワークが利用可能であることを示し、又は、前記セカンダリアクセスネットワークのリンク品質が所定の条件を満たしている場合、前記第１のメインアクセスネットワークデバイスが、前記端末デバイスと前記セカンダリアクセスネットワークデバイスとのセカンダリ接続を再開するように制御すること、又は、
前記セカンダリアクセスネットワークのリンク品質情報が前記セカンダリアクセスネットワークが利用不可であることを示し、又は、前記セカンダリアクセスネットワークのリンク品質が所定の条件を満たさない場合、前記第１のメインアクセスネットワークデバイスが、前記端末デバイスと前記セカンダリアクセスネットワークデバイスとのセカンダリ接続を解放するように制御することを含む。
【００１９】
本願の実施例において、セカンダリアクセスネットワークが利用可能な場合は、セカンダリアクセスネットワークのリンク品質が所定のリンク品質閾値よりも大きいこと、又は、セカンダリアクセスネットワークのサービス品質( Ｑｕａｌｉｔｙ ｏｆ Ｓｅｒｖｉｃｅ：ＱｏＳ )が、データの伝送を満たすことができ、セカンダリアクセスネットワークデバイスが現在で輻輳状態にないことを含み得る。セカンダリアクセスネットワークのリンク品質が所定の条件を満たすことは、セカンダリアクセスネットワークのリンク品質が所定のリンク品質閾値よりも大きいこと、又は、セカンダリアクセスネットワークのＱｏＳがデータの伝送を満たすことができ、セカンダリアクセスネットワークデバイスが現在で輻輳状態にないことを含み得、これは、本願の実施例によって限定されない。
【００２０】
これに対応し、セカンダリアクセスネットワークが利用できないことは、セカンダリアクセスネットワークのリンク品質が所定のリンク品質閾値未満であること、又は、セカンダリアクセスネットワークのＱｏＳがデータの伝送を満たすことができないこと、及び、セカンダリアクセスネットワークデバイスが現在で輻輳状態にあることを含み得る。セカンダリアクセスネットワークのリンク品質が所定の条件を満たさないことは、セカンダリアクセスネットワークのリンク品質が所定のリンク品質閾値未満であること、又は、セカンダリアクセスネットワークのＱｏＳがデータの伝送を満たさないこと、及び、セカンダリアクセスネットワークデバイスが現在で輻輳状態にあることを含み得るが、これは、本願の実施例によって限定されない。
【００２１】
第１の形態と結合し、第１の形態のある実現方式において、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記セカンダリアクセスネットワークのリンク品質情報が前記セカンダリアクセスネットワークのリンク品質値を示す場合、前記第１のメインアクセスネットワークデバイスが、前記セカンダリアクセスネットワークのリンク品質値に基づいて、前記端末デバイスと前記セカンダリアクセスネットワークデバイスとのセカンダリ接続を制御することを含む。
【００２２】
第１の形態と結合し、第１の形態のある実現方式において、前記第１のメインアクセスネットワークデバイスが、前記セカンダリアクセスネットワークのリンク品質値に基づいて、前記端末デバイスとセカンダリアクセスネットワークデバイスとのセカンダリ接続を制御することは、
前記セカンダリアクセスネットワークのリンク品質値が所定のリンク品質閾値の以上である場合、前記第１のメインアクセスネットワークデバイスが、前記端末デバイスと前記セカンダリアクセスネットワークデバイスとのセカンダリ接続を再開するように制御すること、又は、
前記セカンダリアクセスネットワークのリンク品質値が前記所定のリンク品質閾値より小さい場合、前記第１のメインアクセスネットワークデバイスが、前記端末デバイスと前記セカンダリアクセスネットワークデバイスとのセカンダリ接続を解放するように制御することを含む。
【００２３】
第１の形態と結合し、第１の形態のある実現方式において、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記第１のメッセージが前記セカンダリアクセスネットワークのリンク品質情報を含まれない場合、前記第１のメインアクセスネットワークデバイスが、前記端末デバイスと前記セカンダリアクセスネットワークデバイスとのセカンダリ接続を解放するように制御することを含む。
【００２４】
第１の形態と結合し、第１の形態のある実現方式において、前記第１のメッセージが第１の指示情報を含み、前記第１の指示情報は、前記端末デバイスが前記セカンダリ接続の再開又は解放を要求することを示し、
前記第１のメインアクセスネットワークデバイスが、前記第１のメッセージに基づいて、前記端末デバイスとセカンダリアクセスネットワークデバイスとのセカンダリ接続を制御することは、
前記第１のメインアクセスネットワークデバイスが前記第１のメッセージの前記第１の指示情報に基づいて、前記端末デバイスとセカンダリアクセスネットワークデバイスとのセカンダリ接続を制御することを含む。
【００２５】
第１の形態と結合し、第１の形態のある実現方式において、前記第１のメインアクセスネットワークデバイスが前記第１のメッセージの前記第１の指示情報に基づいて、前記端末デバイスとセカンダリアクセスネットワークデバイスとのセカンダリ接続を制御することは、
前記第１の指示情報が前記端末デバイスが前記セカンダリ接続の再開を要求することを示す場合、前記第１のメインアクセスネットワークデバイスが、前記端末デバイスと前記セカンダリアクセスネットワークデバイスとのセカンダリ接続を再開するように制御すること、又は、
前記第１の指示情報が前記端末デバイスが前記セカンダリ接続の解放を要求することを示す場合、前記第１のメインアクセスネットワークデバイスが、前記端末デバイスと前記セカンダリアクセスネットワークデバイスとのセカンダリ接続を解放するように制御することを含む。
【００２６】
第１の形態と結合し、第１の形態のある実現方式において、前記第１のメインアクセスネットワークデバイスが、前記端末デバイスと前記セカンダリアクセスネットワークデバイスとのセカンダリ接続を再開するように制御することは、
前記第１のメインアクセスネットワークデバイスが前記セカンダリアクセスネットワークデバイスに第２のメッセージを送信することと、
前記第１のメインアクセスネットワークデバイスが前記セカンダリアクセスネットワークデバイスにより送信された前記第２のメッセージの応答メッセージを受信することとを含み、
前記第２のメッセージは、前記セカンダリネットワークデバイスが前記セカンダリ接続を再開するように要求し、前記第２のメッセージの応答メッセージは、前記セカンダリアクセスネットワークデバイスが前記セカンダリ接続を再開したことを示す。
【００２７】
第１の形態と結合し、第１の形態のある実現方式において、前記第１のメインアクセスネットワークデバイスが前記セカンダリアクセスネットワークデバイスにより送信された前記第２のメッセージの応答メッセージを受信した後、前記方法は、さらに、
前記第１のメインアクセスネットワークデバイスが前記端末デバイスに第３のメッセージを送信することを含み、前記第３のメッセージは、前記セカンダリ接続に関連する構成を再開することを前記端末デバイスに通知する。
【００２８】
第１の形態と結合し、第１の形態のある実現方式において、前記第３のメッセージは、ＲＲＣメッセージである。
【００２９】
第１の形態と結合し、第１の形態のある実現方式において、前記第１のメインアクセスネットワークデバイスが、前記端末デバイスと前記セカンダリアクセスネットワークデバイスとのセカンダリ接続を解放するように制御することは、
前記第１のメインアクセスネットワークデバイスが前記セカンダリネットワークデバイスに第４のメッセージを送信することと、前記第１のメインアクセスネットワークデバイスが前記セカンダリアクセスネットワークデバイスにより送信された前記第４のメッセージの応答メッセージを受信することとを含み、
前記第４のメッセージは、前記セカンダリネットワークデバイスが前記セカンダリ接続を解放するように要求し、前記第４のメッセージの応答メッセージは、前記セカンダリアクセスネットワークデバイスが前記セカンダリ接続を解放したことを示す。
【００３０】
第１の形態と結合し、第１の形態のある実現方式において、前記第１のメインアクセスネットワークデバイスが前記セカンダリアクセスネットワークデバイスにより送信された前記第４のメッセージの応答メッセージを受信した後、前記方法は、さらに、
前記第１のメインアクセスネットワークデバイスが前記端末デバイスに第５のメッセージを送信することを含み、前記第５のメッセージは、前記セカンダリアクセスネットワークデバイスが前記セカンダリ接続を解放したことを前記端末デバイスに通知する。
【００３１】
第１の形態と結合し、第１の形態のある実現方式において、前記第５のメッセージが第２の指示情報を含み、前記第２の指示情報は、前記端末デバイスが前記セカンダリ接続に関連する構成情報を解放するように指示する。
【００３２】
第１の形態と結合し、第１の形態のある実現方式において、前記第５のメッセージは、ＲＲＣメッセージである。 
第１の形態と結合し、第１の形態のある実現方式において、前記端末デバイスが前記特定の状態に遷移する前に接続された第２のメインアクセスネットワークデバイスと前記第１のメインアクセスネットワークデバイスとが異なる場合、前記方法は、さらに、
前記第１のメインアクセスネットワークデバイスが前記第２のメインアクセスネットワークデバイスから前記セカンダリ接続の構成情報を取得することを含み、前記セカンダリ接続の構成情報は、前記第１のメインアクセスネットワークデバイスが前記セカンダリ接続の構成情報に基づいて前記セカンダリ接続を制御するために用いられる。
【００３３】
第１の形態と結合し、第１の形態のある実現方式において、前記第１のメインアクセスネットワークデバイスが前記第２のメインアクセスネットワークデバイスから前記セカンダリ接続の構成情報を取得することは、
前記第１のメインアクセスネットワークデバイスが前記第２のメインアクセスネットワークデバイスに第６のメッセージを送信することと、前記第１のメインアクセスネットワークデバイスが前記第２のメインアクセスネットワークデバイスにより送信された前記第６のメッセージの応答メッセージを受信することとを含み、
前記第６のメッセージは、前記端末デバイスの前記第２のメインアクセスネットワークのコンテキスト情報を取得するように要求し、前記第６のメッセージの応答メッセージが前記セカンダリ接続の構成情報を含む。
【００３４】
第２の形態は、通信方法を提供し、特定の状態にある端末デバイスが上りデータの伝送が必要であると確定することと、
前記端末デバイスが第１のメインアクセスネットワークデバイスに第１のメッセージを送信することとを含み、
前記第１のメッセージは、前記第１のメインアクセスネットワークデバイスが前記端末デバイスとセカンダリアクセスネットワークデバイスとのセカンダリ接続を制御するために用いられる。
【００３５】
第２の形態と結合し、第２の形態のある実現方式において、前記特定の状態は、サスペンド状態又は非アクティブ状態である。
【００３６】
第２の形態と結合し、第２の形態のある実現方式において、前記第１のメッセージは、無線リソース制御ＲＲＣメッセージである。
【００３７】
第２の形態と結合し、第２の形態のある実現方式において、前記第１のメッセージは、第１のＲＲＣメッセージ又は第２のＲＲＣメッセージであり、前記第１のＲＲＣメッセージは、前記端末デバイスを第１の状態から第２の状態に遷移させるように要求し、前記第２のＲＲＣメッセージは、前記端末デバイスが前記第１の状態から前記第２の状態に遷移したことを示す。
【００３８】
第２の形態と結合し、第２の形態のある実現方式において、前記端末デバイスが第１のメインアクセスネットワークデバイスに第１のメッセージを送信する前に、前記方法は、さらに、
前記端末デバイスが前記セカンダリアクセスネットワークのリンク品質を検定することを含み、
前記端末デバイスが第１のメインアクセスネットワークデバイスに第１のメッセージを送信することは、
前記端末デバイスが前記セカンダリアクセスネットワークのリンク品質情報を含む前記第１のメッセージを第１のメインアクセスネットワークデバイスに送信することを含む。
【００３９】
第２の形態と結合し、第２の形態のある実現方式において、前記セカンダリアクセスネットワークのリンク品質情報は、前記セカンダリアクセスネットワークが利用可能であること、又は、前記セカンダリアクセスネットワークのリンク品質が所定の条件を満たしていることを示し、又は、
前記セカンダリアクセスネットワークのリンク品質情報は、前記セカンダリアクセスネットワークが利用不可であること、又は、前記セカンダリアクセスネットワークのリンク品質が所定の条件を満たさないことを示し、又は、
前記セカンダリアクセスネットワークのリンク品質情報は、前記セカンダリアクセスネットワークのリンク品質値を示す。
【００４０】
第２の形態と結合し、第２の形態のある実現方式において、前記第１のメッセージが第１の指示情報を含み、前記第１の指示情報は、前記端末デバイスが前記セカンダリ接続の再開又は解放を要求することを示す。
【００４１】
第２の形態と結合し、第２の形態のある実現方式において、前記方法は、さらに、
前記端末デバイスが前記第１のメインアクセスネットワークデバイスにより送信された第２のメッセージを受信することを含み、前記第２のメッセージは、前記セカンダリ接続に関連する構成情報を再開することを前記端末デバイスに通知する。
【００４２】
第２の形態と結合し、第２の形態のある実現方式において、前記方法は、さらに、
前記セカンダリ接続が再開された場合、前記端末デバイスは、前記セカンダリ接続を介して前記上りデータを伝送し、又は、前記セカンダリ接続及び前記端末デバイスと前記第１のメインアクセスネットワークデバイスとのメイン接続を介して前記上りデータを伝送する。
【００４３】
第２の形態と結合し、第２の形態のある実現方式において、前記方法は、さらに、
前記セカンダリ接続が解放された場合、前記端末デバイスは、前記端末デバイスと前記第１のメインアクセスネットワークデバイスとのメイン接続を介して前記上りデータを伝送し、又は、前記端末デバイスは、他のセカンダリ接続を介して前記上りデータを伝送し、又は、前記メイン接続及び他のセカンダリ接続を介して前記上りデータを伝送する。
【００４４】
第２の形態と結合し、第２の形態のある実現方式において、前記第２のメッセージはＲＲＣメッセージである。
【００４５】
第２の形態と結合し、第２の形態のある実現方式において、前記方法は、さらに、
前記端末デバイスが前記第１のメインアクセスネットワークデバイスにより送信された第３のメッセージを受信することを含み、前記第３のメッセージは、前記セカンダリアクセスネットワークデバイスが前記セカンダリ接続を解放したことを前記端末デバイスに通知する。
【００４６】
第２の形態と結合し、第２の形態のある実現方式において、前記第３のメッセージが第２の指示情報を含み、前記第２の指示情報は、前記端末デバイスが前記セカンダリ接続に関連する構成情報を解放するように指示する。
【００４７】
第２の形態と結合し、第２の形態のある実現方式において、前記第３のメッセージは、ＲＲＣメッセージである。
【００４８】
第２の形態と結合し、第２の形態のある実現方式において、前記方法は、さらに、
前記端末デバイスが前記第２のアクセスネットワークデバイスにより送信された第４のメッセージを受信することと、
前記端末デバイスが前記第４のメッセージに基づいて、前記端末デバイスと前記セカンダリアクセスネットワークデバイスとのセカンダリ接続をサスペンドすることとを含み、
前記第２のアクセスネットワークデバイスは、前記端末デバイスが前記特定の状態に遷移する前に接続されたメインアクセスネットワークデバイスである。
【００４９】
第２の形態と結合し、第２の形態のある実現方式において、前記第４のメッセージはＲＲＣメッセージである。
【００５０】
第３の形態は、第１の形態及びその各種の実現方式の方法を実行するユニットを含むアクセスネットワークデバイスを提供する。
【００５１】
第４の形態は、第２の形態及びその各種の実現方式の方法を実行するユニットを含む端末デバイスを提供する。
【００５２】
第５の形態は、メモリ、プロセッサ及び送受信機を含むアクセスネットワークデバイスを提供し、前記メモリはプログラムを記憶し、前記プロセッサはプログラムを実行し、前記プログラムが実行される場合、前記プロセッサは、前記送受信機を利用して第１の形態の方法を実行する。
【００５３】
第６の形態は、メモリ、プロセッサ及び送受信機を含む端末デバイスを提供し、前記メモリはプログラムを記憶し、前記プロセッサはプログラムを実行し、前記プログラムが実行される場合、前記プロセッサは、前記送受信機を利用して第２の形態の方法を実行する。
【００５４】
第７の形態は、コンピューター読み取り可能な媒体を提供し、前記コンピューター読み取り可能な媒体は、アクセスネットワークデバイスが実行するプログラムコードを記憶し、前記プログラムコードは、第１の形態の方法を実行するための命令を含む。
【００５５】
第８の形態は、コンピューター読み取り可能な媒体を提供し、前記コンピューター読み取り可能な媒体は、アクセスネットワークデバイスが実行するプログラムコードを記憶し、前記プログラムコードは、第２の形態の方法を実行するための命令を含む。
【図面の簡単な説明】
【００５６】
【図１】本願の実施例における無線通信システムの模式図である。
【図２】本願の実施例における通信方法のフローチャートである。
【図３】本願の他の実施例における通信方法のフローチャートである。
【図４】本願の実施例における通信方法のシーケンス図である。
【図５】本願の他の実施例における通信方法のシーケンス図である。
【図６】本願の実施例におけるアクセスネットワークデバイスのブロック図である。
【図７】本願の実施例における端末デバイスのブロック図である。
【図８】本願の他の実施例におけるアクセスネットワークデバイスのブロック図である。
【図９】本願の他の実施例における端末デバイスのブロック図である。
【発明を実施するための形態】
【００５７】
以下、本願の実施の形態について図面を参照して説明する。
【００５８】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉMAX )通信システム、及び将来生じ得る通信システム等の様々な通信システムに適用され得ることが理解されるべきである。
【００５９】
また、本願の実施例において、端末デバイスは、ユーザ装置( Ｕｓｅｒ  Ｅｑｕｉｐｍｅｎｔ：ＵＥ )、端末デバイス、移動局( Ｍｏｂｉｌｅ Ｓｔａｔｉｏｎ：ＭＳ )、モバイル端末( Ｍｏｂｉｌｅ Ｔｅｒｍｉｎａｌ )、又は将来の５Gネットワークにおける端末デバイスなどと呼ぶことができ、無線アクセスネットワーク( Ｒａｄｉｏ Ａｃｃｅｓｓ Ｎｅｔｗｏｒｋ：ＲＡＮ )を介して１つ以上のコアネットワークと通信することができ、例えば、端末は、携帯電話(又は「セルラ」電話と呼ばれる)又はモバイル端末を有するコンピュータなどとすることができ、例えば、端末は、音声及び/又はデータを無線アクセスネットワークと交換する携帯型、ポケット型、ハンドヘルド型、コンピュータ内蔵型、又は車載型のモバイルデバイスとすることもできる。
【００６０】
本願の実施例において、アクセスネットワークデバイスは、グローバルシステム移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )又は符号分割多元接続( Ｃｏｄｅ Ｄｉｖｉｓｉｏｎ Ｍｕｌｔｉｐｌｅ Ａｃｃｅｓｓ：ＣＤＭＡ )における基地局( Ｂａｓｅ Ｔｒａｎｓｃｅｉｖｅｒ Ｓｔａｔｉｏｎ：ＢＴＳ )であってもよく、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )における基地局( ＮｏｄｅＢ、ＮＢ )であってもよく、ＬＴＥにおける発展型基地局( Ｅｖｏｌｕｔｉｏｎａｌ Ｎｏｄｅ Ｂ、ｅＮＢ又はｅＮｏｄｅＢ )であってもよく、又は中継局又はアクセスポイントであってもよく、又は車載装置、ウェアラブル装置及び将来の５Gネットワークにおけるアクセスネットワークデバイスであってもよい。
【００６１】
本願の実施例において、コアネットワークデバイスは、モビリティ管理エンティティ( Ｍｏｂｉｌｉｔｙ Ｍａｎａｇｅｍｅｎｔ Ｅｎｔｉｔｙ：ＭＭＥ )、サービスゲートウェイ( Ｓｅｒｖｉｎｇ Ｇａｔｅｗａｙ、Ｓ−ＧＷ )又はパケットデータゲートウェイ( ＰＤＮ Ｇａｔｅｗａｙ：Ｐ−ＧＷ )であってもよく、本願は限定しない。
【００６２】
図１は、本願の実施例の１つの応用シーンの模式図を示し、端末デバイスの周りのネットワークデバイスは、ＬＴＥネットワークデバイスである第１のメインアクセスネットワークデバイス１１０と、ＮＲネットワークデバイスである少なくとも１つのセカンダリアクセスネットワークデバイス１２０とを含む。端末デバイス１３０は、第１のメインアクセスネットワークデバイス１１０とセカンダリアクセスネットワークデバイス１２０とを介して同時に接続を確立し、端末デバイス１３０と第１のメインアクセスネットワークデバイス１１０とが確立する接続は、メイン接続であり、端末デバイス１３０とセカンダリアクセスネットワークデバイス１２０とが確立する接続は、セカンダリ接続である。
【００６３】
本願の実施例において、端末デバイス１３０の制御プレーンデータは、メイン接続を介して伝送され、端末デバイスのユーザプレーンデータは、メイン接続とセカンダリ接続を介して同時に伝送されてもよく、セカンダリ接続のみを介して伝送されてもよい。
【００６４】
本願の実施例において、第１のメインアクセスネットワークデバイス及び第２のアクセスネットワークデバイスは、例えば、マクロ基地局( Ｍａｃｒｏｃｅｌｌ )であってもよく、セカンダリアクセスネットワークデバイスは、例えば、マイクロセル基地局( Ｍｉｃｒｏｃｅｌｌ )、ピコセル基地局( Ｐｉｃｏｃｅｌｌ )、フェムトセル基地局( Ｆｅｍｔｏｃｅｌｌ )であってもよいが、本願の実施例はこれに限定されない。
【００６５】
例えば、第１のメインアクセスネットワークデバイスはＬＴＥアクセスネットワークデバイスであり、セカンダリアクセスネットワークデバイスはＮＲアクセスネットワークデバイスであり得るが、本願の実施例はこれに限定されず、メインアクセスネットワークデバイスはＧＳＭアクセスネットワークデバイス、ＣＤＭＡアクセスネットワークデバイス等であっても良く、セカンダリアクセスネットワークデバイスはＧＳＭアクセスネットワークデバイス、ＣＤＭＡアクセスネットワークデバイス等であっても良い。
【００６６】
図２は、本願の実施例による通信方法２００のフローチャートを示し、当該方法２００の実行主体は、例えば、図１に示される第１のメインアクセスネットワークデバイス１１０、例えばＬＴＥにおけるｅＮＢであってもよく、当該方法２００は、Ｓ２１０及びＳ２２０を含む。
【００６７】
Ｓ２１０において、第１のメインアクセスネットワークデバイスが、特定の状態にある端末デバイスが上りデータを送信する必要がある場合に送信した第１のメッセージを受信する。
【００６８】
なお、現在の前記端末デバイスは第１のメインアクセスネットワークにあり、前記第１のメインアクセスネットワークデバイスは前記第１のメインアクセスネットワークのアクセスネットワークデバイスであり、前記端末デバイスは現在の特定の状態にあり、前記特定の状態は、前記端末デバイスがアクセスネットワークデバイスとのデータ伝送が不可能又は少ない量のデータ伝送しかできない状態、例えば、サスペンド状態又は軽接続状態又は非アクティブ状態であってもよい。前記特定の状態にある端末デバイスは、上りデータの送信が必要であると判断した場合に、前記特定の状態から、前記端末デバイスが上りデータの伝送を行うためにデータを正常に伝送可能な状態、例えばアクティブ状態又はＲＲＣ接続状態に遷移することを要求する第１メッセージを、前記第１のメインアクセスネットワークの前記第１のメインアクセスネットワークデバイスに送信する。
【００６９】
なお、本願の実施例において、特定の状態とは、サスペンド状態、軽接続状態、または、非アクティブ状態を含み、これらに限定されなく、特定の状態とは、端末デバイスがデータを送信できないか、または、少量のデータしか送信できない状態であり、端末デバイスが通常のデータ送信を行う必要がある場合、アクティブ状態またはＲＲＣ接続状態などの、データ送信を正常に行うことができる状態に遷移する必要がある。以下の実施例では、端末デバイスが正常にデータ伝送できない状態を非アクティブ状態、正常にデータ伝送できる状態をアクティブ状態として説明するが、本願の実施例はこれに限定されない。
【００７０】
端末デバイスを非アクティブ状態に遷移させるネットワークが第２のメインアクセスネットワークである場合、第１のメインアクセスネットワークと第２のメインアクセスネットワークとは、同一のネットワークであってもよいし、異なるネットワークであってもよい。例えば、端末デバイスが非アクティブ状態に遷移した後に第２のメインアクセスネットワークに移動した場合に、第２のメインアクセスネットワークにおいて上りデータの送信が必要であると判定された場合、第１のメインアクセスネットワークと第２のメインアクセスネットワークとは異なるネットワークである。又は、前記端末デバイスが非アクティブ状態になり、上りデータの送信が必要であると判定された場合に、前記第１のメインアクセスネットワークにまだある場合、前記第１のメインアクセスネットワークと前記第２のメインアクセスネットワークとは同一のネットワークである。
【００７１】
すなわち、特定の状態に入った前記端末デバイスが、データを伝送する必要があると判断したときの所在のアクセスネットワークと、特定の状態に入る前の所在のアクセスネットワークとが同一である場合、前記第１のメインアクセスネットワークデバイスと前記第２のメインアクセスネットワークデバイスとは同一のアクセスネットワークデバイスであり、すなわち、状態切り替え前後のアクセスネットワークノードが変更されなく、そうでない場合、前記第１のメインアクセスネットワークデバイスと前記第２のメインアクセスネットワークデバイスとは異なるアクセスネットワークデバイスであり、すなわち、状態切り替え前後のアクセスネットワークノードが変更される。
【００７２】
このように、第２のメインアクセスネットワークデバイスは、端末デバイスがデータを送信する必要がない場合に、端末デバイスを非アクティブ状態に遷移させ、端末デバイスとセカンダリアクセスネットワークデバイスとのセカンダリ接続をサスペンドする。非アクティブ状態の端末デバイスは、上りデータの送信が必要であると判断した場合、第１のメインアクセスネットワークデバイス(前述のように、端末デバイスが新たなアクセスネットワークに移動しない場合は、第１のメインアクセスネットワークデバイスと第２のメインアクセスネットワークデバイスとが同一であり、そうでない場合は第１のメインアクセスネットワークデバイスと第２のメインアクセスネットワークデバイスとが異なる)に、端末デバイスをアクティブ状態に遷移させて上りデータの送信を要求する第１のメッセージを送信することができる。
【００７３】
任意選択で、第１のメッセージは、ＲＲＣメッセージであっても良く、例えば、第１のメッセージは、端末デバイスを第１の状態から第２の状態に遷移させることを要求する第１のＲＲＣメッセージ、または、端末デバイスが第１の状態から第２の状態に遷移を完了したことを示す第２のＲＲＣメッセージである。
【００７４】
例えば、第１のＲＲＣメッセージは、端末デバイスの状態遷移のための第１のＲＲＣメッセージまたは第３のＲＲＣメッセージであっても良く、具体的には、第１のメッセージは、ＲＲＣ接続要求( ＲＲＣ Ｃｏｎｎｅｃｔｉｏｎ Ｒｅｑｕｅｓｔ )メッセージまたはＲＲＣ接続確立完了メッセージ( ＲＲＣ Ｃｏｎｎｅｃｔｉｏｎ Ｓｅｔｕｐ Ｃｏｍｐｌｅｔｅ )メッセージを含み得る。
【００７５】
任意選択で、前記第１のメッセージは、端末デバイスとアクセスネットワークデバイスとの通信するための他のメッセージであっても良く、例えば、物理層メッセージ又はメディアアクセス制御（Ｍｅｄｉａ Ａｃｃｅｓｓ Ｃｏｎｔｒｏｌ：ＭＡＣ）層メッセージであっても良く、本願の実施例はこれに限定されない。
【００７６】
Ｓ２２０において、前記第１のメインアクセスネットワークデバイスが、前記第１のメッセージに基づいて、前記端末デバイスとセカンダリアクセスネットワークデバイスとのセカンダリ接続を制御する。
【００７７】
なお、本願の実施例において、端末デバイスが非アクティブ状態にある場合、端末デバイスとセカンダリアクセスネットワークデバイスとの間のセカンダリ接続は、サスペンド状態にあり、すなわち、端末デバイスは、セカンダリ接続を介してセカンダリアクセスネットワークデバイスとデータ伝送を行うことができない。第１のメインアクセスネットワークデバイスは、端末デバイスによって送信された第１のメッセージに応じて、セカンダリ接続を使用したデータ送信を継続するか、セカンダリ接続を解放するか、または、上りデータ送信のために別のセカンダリ接続を再確立するように端末デバイスを制御し得る。
【００７８】
なお、本願の実施例において、端末デバイスとセカンダリアクセスネットワークデバイスとの間のセカンダリ接続は、１つ以上のセカンダリ接続を含み得、端末デバイスとセカンダリアクセスネットワークデバイスとの間のセカンダリ接続は、主に、非アクティブ状態に入る前に、端末デバイスがセカンダリアクセスネットワークデバイスとデータ伝送を行うために使用されるセカンダリ接続を指す。
【００７９】
任意選択で、第１のメインアクセスネットワークデバイスは、第１のメッセージに含まれるメッセージ内容に従って、端末デバイスとセカンダリアクセスネットワークデバイスとの間のセカンダリ接続を制御し得る。例えば、第１のメッセージは、端末デバイスと１つ以上のセカンダリアクセスネットワークデバイスとの間のリンク品質情報を含み、第１のメインアクセスネットワークデバイスは、上記リンク品質情報に基づいて、端末デバイスと１つ以上のセカンダリアクセスネットワークデバイスとの間の１つ以上のセカンダリ接続から、セカンダリ接続の一部または全部を選択して、端末デバイスのための上りデータ伝送に継続してもよく、またはセカンダリ接続の一部または全部を解放してもよく、または第１のアクセスネットワークデバイスは、端末デバイスのための上りデータ送信のために、端末デバイスと他のセカンダリアクセスネットワークデバイスとの間のセカンダリ接続を確立してもよく、本開示の実施例はこれに限定されない。
【００８０】
端末デバイスとセカンダリアクセスネットワークとの間のリンク品質条件は、端末デバイスの状態切り替えの前後で変化する可能性があるため、端末デバイスが非アクティブ状態に入る前に、セカンダリアクセスネットワークのリンク品質が端末デバイスのデータ伝送要件を満たすことができるかもしれないが、端末デバイスが非アクティブ状態に入った後に、セカンダリアクセスネットワークのリンク品質が端末デバイスのデータ伝送要件を満たさない可能性がある。これにより、端末デバイスが非アクティブ状態になった後に、セカンダリアクセスネットワークのリンク品質状況を検出することができる。例えば、前記端末デバイスは、非アクティブ状態になった後、非アクティブ状態に入る前に接続を確立した前記セカンダリアクセスネットワークのリンク品質を測定し、又は前記端末デバイスは、第１のメインアクセスネットワークデバイスの周囲のセカンダリネットワークデバイスの両方を測定し、任意選択で、端末デバイスによるセカンダリネットワークの測定は、ネットワークプロトコル仕様に従って測定し、又は第１のメインネットワークの構成に従って測定し、例えば、プロトコル仕様又は第１のメインネットワークの構成により、ある間隔の期間内に第１のメインネットワークデバイスの周囲のセカンダリネットワークを測定し、任意選択で、端末デバイスは、受信したシステムメッセージ中のネットワークの構成情報に基づいて、セカンダリネットワークの測定を行ってもよく、本願はこれに限定されない。
【００８１】
そして、本願の通信方法は、第１のメインアクセスネットワークデバイスが、端末デバイスとセカンダリアクセスネットワークデバイスとの間のセカンダリ接続がサスペンド状態にある場合に、非アクティブ状態にある端末デバイスがデータを伝送する必要があると判断した場合に送信した第１のメッセージに応じて、端末デバイスとセカンダリアクセスネットワークデバイスとの間のセカンダリ接続をそのまま使用することではなく、端末デバイスとセカンダリアクセスネットワークデバイスとの間のセカンダリ接続を継続するか、それとも、端末デバイスとセカンダリアクセスネットワークデバイスとの間のセカンダリ接続を解放するかを制御することができる。
【００８２】
例えば、第１のメインアクセスネットワークデバイスは、セカンダリアクセスネットワークのリンク品質に関わらず、端末デバイスとセカンダリアクセスネットワークデバイスとの間のセカンダリ接続を直接再開することではなく、セカンダリアクセスネットワークのリンク品質に応じて、端末デバイスとセカンダリアクセスネットワークデバイスとの間のセカンダリ接続を再開するか、又は解放するかを確定することができ、端末デバイスのデータ伝送の信頼性を保証することができる。
【００８３】
さらに、Ｓ２２０は、
前記第１のメッセージがセカンダリアクセスネットワークのリンク品質情報を含む場合、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することを含む。
【００８４】
具体的には、端末デバイスは、セカンダリアクセスネットワークのリンク品質を測定し、第１のメッセージにセカンダリアクセスネットワークのリンク品質情報をさらに含み、それにより、第１のメインアクセスネットワークデバイスは、第１のメッセージ中のセカンダリアクセスネットワークのリンク品質情報に従って、端末デバイスとセカンダリアクセスネットワークデバイスとの間のセカンダリ接続を制御し得る。
【００８５】
本願の実施例において、前記セカンダリアクセスネットワークのリンク品質情報は、非アクティブ状態になる前に前記端末デバイスと接続を確立していたセカンダリアクセスネットワークのリンク品質情報を含んでもよいし、前記第１のメインアクセスネットワークデバイスの周囲のセカンダリアクセスネットワークのリンク品質情報を含んでも良く、前記１のメインアクセスネットワークデバイスは、前記セカンダリアクセスネットワークのリンク品質情報に応じて、サスペンド状態のセカンダリ接続を再開するか、それとも、サスペンド状態のセカンダリ接続を解放するかを確定してもよい。又は、前記第１のメインアクセスネットワークデバイスは、該第１のメインアクセスネットワークデバイスの周囲のセカンダリアクセスネットワークのリンク品質情報に基づいて、該端末デバイスのデータ伝送に使用可能なセカンダリアクセスネットワークを選択し、該端末デバイスのための新たなセカンダリ接続を確立するようにしてもよい。
【００８６】
本願の実施例において、前記第１のメッセージは、ＲＲＣ接続確立要求メッセージであっても良く、即ち、前記端末デバイスは、前記ＲＲＣ接続確立要求メッセージに含まれるセカンダリアクセスネットワークのリンク品質情報を前記第１のメインネットワークデバイスに送信し、あるいは、第１のメッセージは、ＲＲＣ接続確立完了メッセージであっても良く、すなわち、端末デバイスは、セカンダリアクセスネットワークのリンク品質情報が含まれるＲＲＣ接続確立完了メッセージを第１のメインアクセスネットワークデバイスに送信しても良い。
【００８７】
本願の実施例において、セカンダリアクセスネットワークのリンク品質情報が含まれる上記の第１のメッセージは、単なる例示であり、本願を何ら限定するものではないことを理解されたい。セカンダリアクセスネットワークのリンク品質情報は、既存のプロトコルで規定されている既存のメッセージ(例えば、上記で列挙した特定のメッセージ、又は他の既存のメッセージ)に含まれても良く、すなわち、既存のメッセージに、セカンダリアクセスネットワークを示すリンク品質情報を追加してもよいし、すなわち、既存のプロトコルに、セカンダリアクセスネットワークのリンク品質情報が含まれる新規のメッセージを追加してもよいが、本開示は、これに限定されない。ここで、既存プロトコルで規定されている既存メッセージにセカンダリアクセスネットワークのリンク品質情報が含まれることは、比較的容易に実現できる方法であると同時に、シグナリングオーバーヘッドを減らすことができる。
【００８８】
任意選択で、前記端末デバイスは、前記セカンダリアクセスネットワークのリンク品質値を前記第１のメッセージに含まれて前記第１のメインアクセスネットワークデバイスに送信し、前記第１のメインアクセスネットワークデバイスは、前記第１のメッセージに含まれる前記セカンダリアクセスネットワークのリンク品質値に基づいて、前記端末デバイスと前記セカンダリアクセスネットワークデバイスとのセカンダリ接続を制御する。
【００８９】
この場合、前記第１のメインアクセスネットワークデバイスが、前記セカンダリアクセスネットワークのリンク品質値に基づいて、前記端末デバイスとセカンダリアクセスネットワークデバイスとのセカンダリ接続を制御することは、
前記セカンダリアクセスネットワークのリンク品質値が所定のリンク品質閾値の以上である場合、前記第１のメインアクセスネットワークデバイスは、前記端末デバイスと前記セカンダリアクセスネットワークデバイスとのセカンダリ接続を再開し、又は、
前記セカンダリアクセスネットワークのリンク品質値が前記所定のリンク品質閾値より小さい場合、前記第１のメインアクセスネットワークデバイスは、前記端末デバイスと前記セカンダリアクセスネットワークデバイスとのセカンダリ接続を解放する。
【００９０】
本願の実施例では、前記第１のメインアクセスネットワークデバイスと前記第２のメインアクセスネットワークデバイスとが同一のネットワークデバイスである場合、前記端末デバイスと前記セカンダリアクセスネットワークデバイスとの間のセカンダリ接続は、前記第１のメインアクセスネットワークデバイスによりサスペンドされ、従って、前記第１のメインアクセスネットワークデバイスは、前記端末デバイスと前記セカンダリアクセスネットワークデバイスとの間のセカンダリ接続の構成情報、例えば、上述のセカンダリ接続制御のための事前構成のリンク品質閾値を知っている。
【００９１】
又は、前記第１のメインアクセスネットワークデバイスと前記第２のメインアクセスネットワークデバイスとが異なるネットワークデバイスである場合、前記端末デバイスと前記セカンダリアクセスネットワークデバイスとの間のセカンダリ接続は、前記第２のメインアクセスネットワークデバイスによってサスペンドされ、従って、前記第１のメインアクセスネットワークデバイスは、前記端末デバイスと前記セカンダリアクセスネットワークデバイスとの間のセカンダリ接続の構成情報を知らないため、この方法は、さらに、
前記第１のメインアクセスネットワークデバイスが前記第２のメインアクセスネットワークデバイスから前記セカンダリ接続の構成情報を取得することを含み、前記セカンダリ接続の構成情報は、前記第１のメインアクセスネットワークデバイスが前記セカンダリ接続の構成情報に基づいて前記セカンダリ接続を制御するために用いられる。
【００９２】
任意選択で、前記セカンダリ接続の構成情報は、前記セカンダリアクセスネットワークのリンク品質閾値、即ち、上記の予め設定されたリンク品質閾値を含む。
【００９３】
具体的には、第１のメインアクセスネットワークデバイスは、第２のメインアクセスネットワークにおける端末デバイスのコンテキスト情報の取得を要求する第６のメッセージを第２のメインアクセスネットワークデバイスに送信することでき、第２のメインアクセスネットワークデバイスは、第２のアクセスネットワークにおける端末デバイスのコンテキスト情報を含む、第６のメッセージに対する応答メッセージを第１のメインアクセスネットワークデバイスに返信することができ、任意選択的に、第６のメッセージに対する応答メッセージは、セカンダリ接続の構成情報をさらに含み得る。
【００９４】
任意選択で、前記第６のメッセージは、初期コンテキスト確立要求( Ｉｎｉｔｉａｌ Ｃｏｎｔｅｘｔ Ｓｅｔｕｐ Ｒｅｑｕｅｓｔ )メッセージを含み、前記第６のメッセージの応答メッセージは、初期コンテキスト確立応答( Ｉｎｉｔｉａｌ Ｃｏｎｔｅｘｔ Ｓｅｔｕｐ Ｒｅｓｐｏｎｓｅ )メッセージを含んでもよい。すなわち、前記第１のメインアクセスネットワークデバイスは、初期コンテキスト確立要求により前記セカンダリ接続の構成情報を取得し、前記第２のメインアクセスネットワークデバイスは、初期コンテキスト確立応答メッセージにより前記第１のメインアクセスネットワークデバイスに前記セカンダリ接続の構成情報を通知することができる。
【００９５】
任意選択で、いくつかの実施例において、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記セカンダリアクセスネットワークのリンク品質情報が前記セカンダリアクセスネットワークが利用可能であることを示し、又は、前記セカンダリアクセスネットワークのリンク品質が所定の条件を満たしている場合、前記第１のメインアクセスネットワークデバイスは、前記端末デバイスと前記セカンダリアクセスネットワークデバイスとのセカンダリ接続を再開し、又は、
前記セカンダリアクセスネットワークのリンク品質情報が前記セカンダリアクセスネットワークが利用不可であることを示し、又は、前記セカンダリアクセスネットワークのリンク品質が所定の条件を満たさない場合、前記第１のメインアクセスネットワークデバイスは、前記端末デバイスと前記セカンダリアクセスネットワークデバイスとのセカンダリ接続を解放することを含む。
【００９６】
すなわち、端末デバイスは、検出されたセカンダリアクセスネットワークのリンク品質情報に基づいて、セカンダリアクセスネットワークが利用可能か否か、又は、セカンダリアクセスネットワークのリンク品質が予め設定された条件を満たすか否かを判定することができ、この場合、第１のメッセージに含まれるセカンダリアクセスネットワークのリンク品質情報は、端末デバイスにより確定されたセカンダリアクセスネットワークが利用可能か否か、又は、セカンダリアクセスネットワークのリンク品質が予め設定された条件を満たすか否かの情報である。従って、セカンダリアクセスネットワークのリンク品質情報は、セカンダリアクセスネットワークが利用可能か否か、又は、セカンダリアクセスネットワークのリンク品質が予め設定された条件を満たすか否かを示す情報であると理解され得る。この場合、セカンダリアクセスネットワークのリンク品質情報は、セカンダリアクセスネットワークが利用可能か否か、又は、セカンダリアクセスネットワークのリンク品質が予め設定された条件を満たすか否かを示す１ビットの指示情報であってもよい。
【００９７】
本願の実施例において、セカンダリアクセスネットワークが利用可能な場合は、セカンダリアクセスネットワークのリンク品質が所定のリンク品質閾値よりも大きいこと、又は、セカンダリアクセスネットワークのサービス品質( Ｑｕａｌｉｔｙ ｏｆ Ｓｅｒｖｉｃｅ：ＱｏＳ )が、データの伝送を満たすことができ、セカンダリアクセスネットワークデバイスが現在輻輳状態にないことを含み得る。セカンダリアクセスネットワークのリンク品質が所定の条件を満たすことは、セカンダリアクセスネットワークのリンク品質が所定のリンク品質閾値よりも大きいこと、又は、セカンダリアクセスネットワークのＱｏＳがデータの伝送を満たすことができ、セカンダリアクセスネットワークデバイスが現在輻輳状態にないことを含み得、これは、本願の実施例によって限定されない。
【００９８】
これに対応し、セカンダリアクセスネットワークが利用できないことは、セカンダリアクセスネットワークのリンク品質が所定のリンク品質閾値未満であること、又は、セカンダリアクセスネットワークのＱｏＳがデータの伝送を満たすことができないこと、及び、セカンダリアクセスネットワークデバイスが現在輻輳状態にあることを含み得る。セカンダリアクセスネットワークのリンク品質が所定の条件を満たさないことは、セカンダリアクセスネットワークのリンク品質が所定のリンク品質閾値未満であること、又は、セカンダリアクセスネットワークのＱｏＳがデータの伝送を満たさないこと、及び、セカンダリアクセスネットワークデバイスが現在輻輳状態にあることを含み得るが、これは、本願の実施例によって限定されない。
【００９９】
任意選択で、実施例として、前記Ｓ２２０は、
前記第１のメッセージが前記セカンダリアクセスネットワークのリンク品質情報を含まれない場合、前記第１のメインアクセスネットワークデバイスが前記端末デバイスと前記セカンダリアクセスネットワークデバイスとのセカンダリ接続を解放することをさらに含む。
【０１００】
すなわち、前記第１のメッセージは、前記セカンダリアクセスネットワークのリンク品質情報を含まなくてもよく、前記端末デバイスと前記第１のメインアクセスネットワークデバイスは、前記第１のメッセージが前記セカンダリアクセスネットワークのリンク品質情報を含まない場合に、前記第１のメインアクセスネットワークデバイスがセカンダリ接続を解放するように約定してもよく、前記第１のメインアクセスネットワークデバイスが前記セカンダリアクセスネットワークのリンク品質情報を含まない前記第１のメッセージを受信した場合に、前記端末デバイスと前記セカンダリアクセスネットワークデバイスとの間のセカンダリ接続を解放するように制御してもよい。
【０１０１】
選択可能で、前記端末デバイスと前記第１のメインアクセスネットワークデバイスとは、前記第１のメッセージに前記セカンダリアクセスネットワークのリンク品質情報が含まれない場合、前記第１のメインアクセスネットワークデバイスがセカンダリ接続を解放するように約定する場合、前記第１のメインアクセスネットワークデバイスは、前記セカンダリアクセスネットワークのリンク品質情報が含まれない前記第１のメッセージを受信する場合、前記端末デバイスと前記セカンダリアクセスネットワークデバイスとのセカンダリ接続を再開するように制御する。
【０１０２】
任意選択で、いくつかの実施例において、前記第１のメッセージが第１の指示情報を含み、前記第１の指示情報は、前記端末デバイスが前記セカンダリ接続の再開又は解放を要求することを示し、
前記第１のメインアクセスネットワークデバイスが、前記第１のメッセージに基づいて、前記端末デバイスとセカンダリアクセスネットワークデバイスとのセカンダリ接続を制御することは、
前記第１のメインアクセスネットワークデバイスが前記第１のメッセージの前記第１の指示情報に基づいて、前記端末デバイスとセカンダリアクセスネットワークデバイスとのセカンダリ接続を制御することを含む。
【０１０３】
さらに、前記第１のメインアクセスネットワークデバイスが前記第１のメッセージの前記第１の指示情報に基づいて、前記端末デバイスとセカンダリアクセスネットワークデバイスとのセカンダリ接続を制御することは、
前記第１の指示情報が前記端末デバイスが前記セカンダリ接続の再開を要求することを示す場合、前記第１のメインアクセスネットワークデバイスは、前記端末デバイスと前記セカンダリアクセスネットワークデバイスとのセカンダリ接続を再開し、又は、
前記第１の指示情報が前記端末デバイスが前記セカンダリ接続の解放を要求することを示す場合、前記第１のメインアクセスネットワークデバイスは、前記端末デバイスと前記セカンダリアクセスネットワークデバイスとのセカンダリ接続を解放することを含む。
【０１０４】
任意選択で、前記端末デバイスが、前記第１のメインアクセスネットワークの周囲のセカンダリアクセスネットワークを検出し、前記第１のメッセージが、前記端末デバイスが検出した前記第１のメインアクセスネットワークの周囲のセカンダリアクセスネットワークのリンク品質情報をさらに含み、そして、前記第１のメインアクセスネットワークデバイスが、前記第１のメインアクセスネットワークの周囲のセカンダリアクセスネットワークのリンク品質情報に応じて、前記端末デバイスにその後のデータ伝送に使用するセカンダリアクセスネットワークを選択する。又は、前記端末デバイスが、検出された前記第１のメインアクセスネットワークの周囲のセカンダリアクセスネットワークのリンク品質情報に基づいて、少なくとも１つのセカンダリアクセスネットワークを確定し、このように、前記第１の指示情報は、前記端末デバイスがセカンダリ接続を確立しようとしている前記少なくとも１つのセカンダリアクセスネットワークを示唆する情報又は示す情報としても使用され、前記第１のメインアクセスネットワークデバイスは、前記第１の指示情報に基づいて、前記端末デバイスと、前記第１の指示情報が示す前記少なくとも１つのセカンダリアクセスネットワークのうちの一部又は全部とのセカンダリ接続を確立するように構成されていてもよい。
【０１０５】
任意選択で、いくつかの実施例において、前記第１のメインアクセスネットワークデバイスが前記端末デバイスと前記セカンダリアクセスネットワークデバイスとのセカンダリ接続を再開することは、
前記第１のメインアクセスネットワークデバイスが前記セカンダリアクセスネットワークデバイスに第２のメッセージを送信することと、
前記第１のメインアクセスネットワークデバイスが前記セカンダリアクセスネットワークデバイスにより送信された前記第２のメッセージの応答メッセージを受信することとを含み、
前記第２のメッセージは、前記セカンダリネットワークデバイスが前記セカンダリ接続を再開するように要求し、前記第２のメッセージの応答メッセージは、前記セカンダリアクセスネットワークデバイスが前記セカンダリ接続を再開したことを示す。
【０１０６】
任意選択で、前記第２のメッセージは、セカンダリ接続の再開要求メッセージ又はセカンダリ接続の追加要求メッセージ等のメッセージであっても良く、それに対応し、前記第２のメッセージの応答メッセージは、セカンダリ接続の再開確認メッセージ又はセカンダリ接続の追加要求確認メッセージであっても良い。
【０１０７】
本願の実施例において、前記第２のメッセージと前記第２のメッセージの応答メッセージとは、アクセスネットワークデバイスの間の通信する他のメッセージであっても良く、本願の実施例はこれに限定されない。
【０１０８】
この場合、前記第１のメインアクセスネットワークデバイスが前記第２のメッセージの応答メッセージを受信した後、前記方法は、さらに、
前記第１のメインアクセスネットワークデバイスが前記端末デバイスに第３のメッセージを送信することを含み、前記第３のメッセージは、前記セカンダリ接続に関連する構成を再開することを前記端末デバイスに通知する。
【０１０９】
本願の実施例において、前記第１のメッセージがＲＲＣ接続要求メッセージである場合、前記第３のメッセージがＲＲＣ接続確立（ＲＲＣ Ｃｏｎｎｃｔｉｏｎ Ｓｅｔｕｐ）メッセージであり、又は、前記第１のメッセージがＲＲＣ接続確立完了メッセージである場合、前記第３のメッセージがＲＲＣ接続再構成（ＲＲＣ Ｃｏｎｎｅｃｔｉｏｎ Ｒｅｃｏｎｆｉｇｕｒａｔｉｏｎ）メッセージである。
【０１１０】
任意選択で、いくつかの実施例において、前記第１のメインアクセスネットワークデバイスが前記端末デバイスと前記セカンダリアクセスネットワークデバイスとのセカンダリ接続を解放することは、
前記第１のメインアクセスネットワークデバイスが前記セカンダリネットワークデバイスに第４のメッセージを送信することと、
前記第１のメインアクセスネットワークデバイスが前記セカンダリアクセスネットワークデバイスにより送信された前記第４のメッセージの応答メッセージを受信することとを含み、
前記第４のメッセージは、前記セカンダリネットワークデバイスが前記セカンダリ接続を解放するように要求し、前記第４のメッセージの応答メッセージは、前記セカンダリアクセスネットワークデバイスが前記セカンダリ接続を解放したことを示す。
【０１１１】
この場合、前記第１のメインアクセスネットワークデバイスが前記セカンダリアクセスネットワークデバイスにより送信された前記第４のメッセージの応答メッセージを受信した後、前記方法は、さらに、
前記第１のメインアクセスネットワークデバイスが前記端末デバイスに第５のメッセージを送信することを含み、前記第５のメッセージは、前記セカンダリアクセスネットワークデバイスが前記セカンダリ接続を解放したことを前記端末デバイスに通知する。
【０１１２】
本願の実施例において、前記第５のメッセージは、前記第１のメッセージがＲＲＣ接続要求メッセージである場合、ＲＲＣ接続確立( ＲＲＣ Ｃｏｎｎｃｔｉｏｎ Ｓｅｔｕｐ )メッセージであり、又は前記第１のメッセージがＲＲＣ接続確立完了メッセージである場合、前記第５のメッセージは、ＲＲＣ接続解放( ＲＲＣ Ｃｏｎｎｅｃｔｉｏｎ Ｒｅｌｅａｓｅ )メッセージである。
【０１１３】
任意選択で、いくつかの実施例において、前記第５のメッセージが第２の指示情報を含み、前記第２の指示情報は、前記端末デバイスが前記セカンダリ接続に関連する構成情報を解放するように指示する。
【０１１４】
以上、図２を参照して本願の実施例に係る通信方法をアクセスネットワークデバイス側から詳細に説明したが、以下、図３を参照して本願の実施例に係る通信方法を端末デバイス側から詳細に説明する。なお、端末デバイス側の説明とアクセスネットワークデバイス側の説明は、互いに対応しており、同様の説明は、重複を回避するために省略する。
【０１１５】
図３は本願の他の実施例における通信方法のフローチャートであり、図３に示すように、前記方法３００は、Ｓ３１０及びＳ３２０を含む。
【０１１６】
Ｓ３１０において、特定の状態にある端末デバイスが上りデータの伝送が必要であると確定する。
【０１１７】
Ｓ３２０において、前記端末デバイスが第１のメインアクセスネットワークデバイスに第１のメッセージを送信し、前記第１のメッセージは、前記第１のメインアクセスネットワークデバイスが前記端末デバイスと前記セカンダリアクセスネットワークデバイスとのセカンダリ接続を制御するために用いられる。
【０１１８】
任意選択で、いくつかの実施例において、前記特定の状態は、サスペンド状態又は非アクティブ状態である。
【０１１９】
本願の実施例において、端末デバイスが前記特定の状態にあるとき、前記端末デバイスとセカンダリアクセスネットワークデバイスとの間のセカンダリ接続がサスペンド状態にあり、この場合、前記端末デバイスが上りデータの伝送が必要であると判断した場合、前記端末デバイスを前記特定の状態から正常にデータ伝送できる状態に遷移させるための第１メッセージを前記第１のアクセスネットワークデバイスに送信してもよい。第１のメッセージは、第１のメインアクセスネットワークデバイスが、端末デバイスとセカンダリアクセスネットワークデバイスとの間のセカンダリ接続を制御するために使用され得る。
【０１２０】
任意選択で、いくつかの実施例において、前記第１のメッセージは、無線リソース制御ＲＲＣメッセージである。
【０１２１】
任意選択で、いくつかの実施例において、前記第１のメッセージは、前記端末デバイスを第１の状態から第２の状態に遷移させるためのＲＲＣメッセージ、又は、前記端末デバイスが前記第１の状態から前記第２の状態に遷移したＲＲＣメッセージである。
【０１２２】
任意選択で、いくつかの実施例において、前記端末デバイスが第１のメインアクセスネットワークデバイスに第１のメッセージを送信する前に、前記方法は、さらに、
前記端末デバイスが前記セカンダリアクセスネットワークのリンク品質を検定することを含み、
前記端末デバイスが第１のメインアクセスネットワークデバイスに第１のメッセージを送信することは、
前記端末デバイスが前記セカンダリアクセスネットワークのリンク品質情報を含む前記第１のメッセージを第１のメインアクセスネットワークデバイスに送信することを含む。
【０１２３】
具体的には、前記端末デバイスが前記特定の状態に入ると、前記端末デバイスは、前記特定の状態に入る前に接続していたセカンダリアクセスネットワークを検出し、セカンダリアクセスネットワークのリンク品質情報を確定してから、前記第１のメッセージに前記セカンダリアクセスネットワークのリンク品質情報を含めることで、前記第１のメインアクセスネットワークデバイスが、前記第１のメッセージ中の前記セカンダリアクセスネットワークのリンク品質情報に応じて、前記端末デバイスと前記セカンダリアクセスネットワークデバイスとの間のセカンダリ接続を制御することができる。
【０１２４】
任意選択で、前記端末デバイスは、前記第１のメインアクセスネットワークデバイスの周囲のセカンダリアクセスネットワークを全て検出して、前記第１のメインアクセスネットワークデバイスの周囲のセカンダリアクセスネットワークのリンク品質情報を取得し、前記端末デバイスは、前記第１のメッセージに直接、前記第１のメインアクセスネットワークデバイスの周囲のセカンダリアクセスネットワークのリンク品質情報を含めて、前記第１のメインアクセスネットワークデバイスが、前記第１のメインアクセスネットワークデバイスの周囲のセカンダリアクセスネットワークのリンク品質情報に基づいて、利用可能なセカンダリアクセスネットワークを確定するようにしてもよい。又は、前記端末デバイスは、前記第１のメインアクセスネットワークデバイスの周囲のセカンダリアクセスネットワークのリンク品質情報に応じて利用可能なセカンダリアクセスネットワークを確定し、前記第１のメッセージに、前記端末デバイスが決定した利用可能なセカンダリアクセスネットワークの情報を含め、即ち、前記端末デバイスがセカンダリ接続の確立を要求するセカンダリアクセスネットワークの情報を含めるとしてもよい。
【０１２５】
端末デバイス又は第１のメインアクセスネットワークデバイスが利用可能なセカンダリアクセスネットワークを確定する方法は、上述の実施例におけるセカンダリアクセスネットワークが利用可能なものであると決定すること、又はセカンダリアクセスネットワークのリンク品質が所定の条件を満たすものであると決定することの関連説明を参照してもよく、ここでは詳しい説明は省略する。
【０１２６】
任意選択で、前記セカンダリアクセスネットワークのリンク品質情報は、前記セカンダリアクセスネットワークが利用可能であること、又は、前記セカンダリアクセスネットワークのリンク品質が所定の条件を満たしていることを示し、又は、
前記セカンダリアクセスネットワークのリンク品質情報は、前記セカンダリアクセスネットワークが利用不可であること、又は、前記セカンダリアクセスネットワークのリンク品質が所定の条件を満たさないことを示し、又は、
前記セカンダリアクセスネットワークのリンク品質情報は、前記セカンダリアクセスネットワークのリンク品質値を示す。
【０１２７】
任意選択で、いくつかの実施例において、前記第１のメッセージが第１の指示情報を含み、前記第１の指示情報は、前記端末デバイスが前記セカンダリ接続の再開又は解放を要求することを示す。
【０１２８】
任意選択で、いくつかの実施例において、前記方法は、さらに、
前記端末デバイスが前記第１のメインアクセスネットワークデバイスにより送信された第２のメッセージを受信することを含み、前記第２のメッセージは、前記セカンダリ接続に関連する構成情報を再開することを前記端末デバイスに通知する。
【０１２９】
任意選択で、いくつかの実施例において、前記第２のメッセージはＲＲＣメッセージである。
【０１３０】
任意選択で、いくつかの実施例において、前記方法は、さらに、
前記端末デバイスが前記第１のメインアクセスネットワークデバイスにより送信された第３のメッセージを受信することを含み、前記第３のメッセージは、前記セカンダリアクセスネットワークデバイスが前記セカンダリ接続を解放したことを前記端末デバイスに通知する。
【０１３１】
任意選択で、いくつかの実施例において、前記第３のメッセージが第２の指示情報を含み、前記第２の指示情報は、前記端末デバイスが前記セカンダリ接続に関連する構成情報を解放するように指示する。
【０１３２】
任意選択で、いくつかの実施例において、前記第３のメッセージは、ＲＲＣメッセージである。
【０１３３】
任意選択で、いくつかの実施例において、前記方法は、さらに、
前記端末デバイスが前記第２のアクセスネットワークデバイスにより送信された第４のメッセージを受信することと、
前記端末デバイスが前記第４のメッセージに基づいて、前記端末デバイスと前記セカンダリアクセスネットワークデバイスとのセカンダリ接続をサスペンドすることとを含み、
前記第２のアクセスネットワークデバイスは、前記端末デバイスが前記特定の状態に遷移する前に接続されたメインアクセスネットワークデバイスである。
【０１３４】
任意選択で、いくつかの実施例において、前記第４のメッセージはＲＲＣメッセージである。
【０１３５】
以上、図２〜図３を参照し、アクセスネットワークデバイス側及び端末デバイス側から本願の実施例を説明しており、以下、図４〜図５を参照し、デバイスのシーケンスから本願の実施例を説明する。
【０１３６】
前記端末デバイスが非アクティブ状態になる前に接続されていたのは第２のメインアクセスネットワークデバイスであり、前記端末デバイスが非アクティブ状態になった後、上りデータの伝送が必要であると判断された場合に、前記端末デバイスは第１のメインアクセスネットワークデバイスがカバーするネットワークにあり、前記第１のメインアクセスネットワークデバイスと前記第２のメインアクセスネットワークデバイスとは同一のネットワークデバイスであってもよいし、異なるネットワークデバイスであってもよく、すなわち、前記端末デバイスは状態切り替えの前後で同一のネットワークにあってもよいし、異なるネットワークにあってもよいし、または、前記端末デバイスは状態切り替えの前後であるアクセスネットワークノードが変更されなく、または、変更された。
【０１３７】
図４はアクセスネットワークノードが変更されない場合、本願の実施例における通信方法４００のシーケンス図を示す。
【０１３８】
Ｓ４０１において、第１のメインアクセスネットワークデバイスは、端末デバイスが非アクティブ状態に遷移すると確定する。
【０１３９】
前記第１のメインアクセスネットワークデバイスは、前記端末デバイスがアクティブでない状態にあり、又は伝送データがない時に、前記端末デバイスを非アクティブ状態に遷移させることができる。
【０１４０】
Ｓ４０２において、前記第１のメインアクセスネットワークデバイスがセカンダリアクセスネットワークデバイスに第７のメッセージを送信し、前記第７のメッセージは、前記端末デバイスとセカンダリアクセスネットワークデバイスとのセカンダリ接続をサスペンドするために用いられる。
【０１４１】
Ｓ４０３において、セカンダリアクセスネットワークデバイスが前記第１のメインアクセスネットワークデバイスに前記第７のメッセージの応答メッセージを返信し、前記第７のメッセージの応答メッセージは、前記セカンダリアクセスネットワークデバイスが前記セカンダリ接続をサスペンドしたことを示す。
【０１４２】
任意選択で、前記セカンダリアクセスネットワークデバイスは、前記セカンダリ接続をサスペンドした後、前記セカンダリ接続に関連する構成情報を記憶する。
【０１４３】
Ｓ４０４において、前記第１のメインアクセスネットワークデバイスが端末デバイスに第８のメッセージを送信し、前記第８のメッセージは、前記端末デバイスがセカンダリアクセスネットワークデバイスとのセカンダリ接続をサスペンドするように指示する。
【０１４４】
任意選択で、第８のメッセージがＲＲＣ接続再構成メッセージであっても良く、つまり、前記第１のメインアクセスネットワークデバイスは、ＲＲＣ接続再構成メッセージを介して前記端末デバイスが前記セカンダリ接続をサスペンドするように指示する命令を搬送することができる。
【０１４５】
任意選択で、前記端末デバイスは、前記第８のメッセージを受信した後、現在のメイン接続とセカンダリ接続に関連する構成情報を記憶しても良い。
【０１４６】
任意選択で、前記端末デバイスは、サスペンドされたセカンダリ接続に対応するセカンダリアクセスネットワークのリンク品質を検定し、又は、前記端末デバイスは前記第１のメインアクセスネットワークデバイスの周囲のセカンダリアクセスネットワークに対しリンク品質を検定し、前記第１のメインアクセスネットワークの周囲のセカンダリアクセスネットワークのリンク品質情報を取得してもよい。
【０１４７】
任意選択で、前記第８のメッセージは、前記端末デバイスが前記セカンダリ接続をサスペンドする命令を含まなくても良く、前記端末デバイスは、前記第８のメッセージが前記命令を含まない場合、前記セカンダリ接続をサスペンドする。
【０１４８】
Ｓ４０５において、前記端末デバイスが前記第１のメインアクセスネットワークデバイスに前記第８のメッセージの応答メッセージを送信し、前記第８のメッセージの応答メッセージは、前記端末デバイスが前記セカンダリ接続をサスペンドしたことを示す。
【０１４９】
Ｓ４０６において、前記端末デバイスは、上りデータの伝送が必要であると確定する。
【０１５０】
Ｓ４０７において、前記端末デバイスが前記第１のメインアクセスネットワークデバイスに第１のメッセージを送信する。
【０１５１】
そして、前記第１のメインアクセスネットワークデバイスは、前記第１のメッセージに基づいて、前記端末デバイスと前記第１のメインアクセスネットワークデバイスとのセカンダリ接続を制御する。
【０１５２】
前記第１のメインアクセスネットワークが前記第１のメッセージに基づいて前記端末デバイスと前記第１のメインアクセスネットワークデバイスとのセカンダリ接続を制御することは、Ｓ２２０の説明を参照し、ここで、説明を省略する。
【０１５３】
任意選択で、前記第１のメッセージは、ＲＲＣ接続確立要求メッセージ、又はＲＲＣ接続確立完了メッセージであっても良い。
【０１５４】
前記第１のメインアクセスネットワークデバイスが前記第１のメッセージに基づいて、前記セカンダリ接続を再開すると確定する場合、前記第１のメインアクセスネットワークデバイスは、前記セカンダリ接続の再開を制御し、プロセスがＳ４０８に行進する。
【０１５５】
Ｓ４０８において、前記第１のメインアクセスネットワークデバイスが前記セカンダリアクセスネットワークデバイスに第２のメッセージを送信し、前記第２のメッセージは、前記セカンダリ接続を再開するように要求するために用いられる。
【０１５６】
Ｓ４０９において、前記セカンダリアクセスネットワークデバイスが前記第１のメインアクセスネットワークデバイスに前記第２のメッセージの応答メッセージを返信し、前記第２のメッセージの応答メッセージは、前記セカンダリアクセスネットワークデバイスが前記セカンダリ接続を再開したことを示す。
【０１５７】
Ｓ４１０において、前記第１のメインアクセスネットワークデバイスが前記端末デバイスに第３のメッセージを送信し、前記第３のメッセージは、前記端末デバイスが前記セカンダリ接続を再開するように要求するために用いられる。
【０１５８】
任意選択で、前記第１のメッセージがＲＲＣ接続確立要求メッセージである場合、前記第３のメッセージがＲＲＣ接続確立応答メッセージであり、前記第１のメッセージがＲＲＣ接続確立完了メッセージである場合、前記第３のメッセージがＲＲＣ接続再構成メッセージであっても良い。
【０１５９】
又は、前記第１のメインアクセスネットワークデバイスが前記第１のメッセージに基づいて、前記セカンダリ接続が必要であるかどうかを確定し、前記第１のメインアクセスネットワークデバイスが前記セカンダリ接続を解放して制御し、プロセスはＳ４１１に行進する。
【０１６０】
Ｓ４１１において、前記第１のメインアクセスネットワークデバイスが前記セカンダリアクセスネットワークデバイスに第４のメッセージを送信し、前記第４のメッセージは、前記セカンダリ接続を解放するように要求するために用いられる。
【０１６１】
Ｓ４１２において、前記セカンダリアクセスネットワークデバイスが前記第１のメインアクセスネットワークデバイスに前記第４のメッセージの応答メッセージを返信し、前記第４のメッセージの応答メッセージは、前記セカンダリアクセスネットワークデバイスが前記セカンダリ接続を解放したことを示す。
【０１６２】
Ｓ４１３において、前記第１のメインアクセスネットワークデバイスが前記端末デバイスに第５のメッセージを送信し、前記第５のメッセージは、前記端末デバイスが前記セカンダリ接続を解放するように要求するために用いられる。
【０１６３】
前記端末デバイスが前記第５のメッセージを受信した後、前記セカンダリ接続に関連する構成情報を解放する。
【０１６４】
任意選択で、前記第１のメッセージがＲＲＣ接続確立要求メッセージである場合、前記第５のメッセージがＲＲＣ接続確立応答メッセージであり、又は、前記第１のメッセージがＲＲＣ接続確立完了メッセージである場合、前記第５のメッセージがＲＲＣ接続再構成メッセージであってもよい。
【０１６５】
図５は、アクセスネットワークノードが変更された場合、本願の実施例における通信方法５００のシーケンス図を示す。
【０１６６】
Ｓ５０１において、第２のメインアクセスネットワークデバイスは、端末デバイスを非アクティブ状態に遷移させると確定する。
【０１６７】
前記第２のメインアクセスネットワークデバイスは、前記端末デバイスがアクティブでない状態にあり、又は、データ伝送がない場合、前記端末デバイスを非アクティブ状態に遷移させることができる。
【０１６８】
Ｓ５０２において、前記第２のメインアクセスネットワークデバイスがセカンダリアクセスネットワークデバイスに第７のメッセージを送信し、前記第７のメッセージは、前記端末デバイスとセカンダリアクセスネットワークデバイスとのセカンダリ接続をサスペンドするために用いられる。
【０１６９】
Ｓ５０３において、セカンダリアクセスネットワークデバイスが前記第２のメインアクセスネットワークデバイスに前記第７のメッセージの応答メッセージを返信し、前記第７のメッセージの応答メッセージは、前記セカンダリアクセスネットワークデバイスが前記セカンダリ接続をサスペンドしたことを示す。
【０１７０】
任意選択で、前記セカンダリアクセスネットワークデバイスが前記セカンダリ接続をサスペンドした後、前記セカンダリ接続に関連する構成情報を記憶する。
【０１７１】
Ｓ５０４において、前記第２のメインアクセスネットワークデバイスが端末デバイスに第８のメッセージを送信し、前記第８のメッセージは、前記端末デバイスサスペンドとセカンダリアクセスネットワークデバイスとのセカンダリ接続を示す。
【０１７２】
任意選択で、第８のメッセージがＲＲＣ接続再構成メッセージであってもよく、つまり、前記第２のメインアクセスネットワークデバイスは、ＲＲＣ接続再構成メッセージを介して前記端末デバイスサスペンド前記セカンダリ接続を示す命令を搬送することができる。
【０１７３】
任意選択で、前記端末デバイスが前記第８のメッセージを受信した後、現在のメイン接続とセカンダリ接続に関連する構成情報を記憶してもよい。
【０１７４】
任意選択で、前記端末デバイスは、サスペンドされたセカンダリ接続に対応するセカンダリアクセスネットワークのリンク品質を検定し、又は、前記端末デバイスは、前記第２のメインアクセスネットワークデバイスの周囲のセカンダリアクセスネットワークに対してリンク品質を検定し、前記第２のメインアクセスネットワークの周囲のセカンダリアクセスネットワークのリンク品質情報を取得してもよい。
【０１７５】
任意選択で、前記第８のメッセージは、前記端末デバイスが前記セカンダリ接続をサスペンドする命令を含まなくてもよく、前記端末デバイスは、前記第８のメッセージに前記命令が含まれない場合、前記セカンダリ接続をサスペンドする必要がある。
【０１７６】
Ｓ５０５において、前記端末デバイスが前記第２のメインアクセスネットワークデバイスに前記第８のメッセージの応答メッセージを送信し、前記第８のメッセージの応答メッセージは、前記端末デバイスが前記セカンダリ接続をサスペンドしたことを示す。
【０１７７】
Ｓ５０６において、前記端末デバイスは、上りデータの伝送が必要であると確定する。
【０１７８】
この場合、前記端末デバイスが第１のメインアクセスネットワークデバイスのアクセスネットワークエリアに移動する。
【０１７９】
Ｓ５０７において、前記端末デバイスが前記第１のメインアクセスネットワークデバイスに第１のメッセージを送信する。
【０１８０】
任意選択で、前記第１のメッセージは、ＲＲＣ接続確立要求メッセージ、或ＲＲＣ接続確立完了メッセージである。
【０１８１】
Ｓ５０８において、前記第１のメインアクセスネットワークデバイスが前記第２のメインアクセスネットワークデバイスに第６のメッセージを送信し、前記第６のメッセージは、前記セカンダリ接続に関連する構成情報を取得するために用いられる。
【０１８２】
任意選択で、前記第６のメッセージは、前記端末デバイスのコンテキスト情報を取得するように要求するメッセージであってもよく、例えば、前記第６のメッセージは、最初コンテキスト確立要求メッセージである。
【０１８３】
Ｓ５０９において、前記第２のメインアクセスネットワークデバイスが前記第１のメインアクセスネットワークデバイスに前記第６のメッセージの応答メッセージを返信し、前記第６のメッセージの応答メッセージは、前記端末デバイスの前記第２のメインアクセスネットワークでのコンテキスト情報を含み、任意選択で、前記第６のメッセージの応答メッセージは、さらに、前記セカンダリ接続に関連する構成情報を含み、前記セカンダリ接続に関連する構成情報は、セカンダリ接続制御のリンク品質閾値を含んでもよい。
【０１８４】
Ｓ５１０において、前記第２のメインアクセスネットワークデバイスが前記セカンダリアクセスネットワークデバイスにセカンダリ接続解放要求メッセージを送信し、前記セカンダリ接続解放要求メッセージは、前記端末デバイスと前記セカンダリアクセスネットワークデバイスとのセカンダリ接続を解放するために用いられる。
【０１８５】
Ｓ５１１において、前記セカンダリアクセスネットワークデバイスが前記第２のメインアクセスネットワークデバイスにセカンダリ接続解放確認メッセージを送信し、前記セカンダリ接続解放確認メッセージは、前記セカンダリアクセスネットワークデバイスが前記端末デバイスと前記セカンダリアクセスネットワークデバイスとのセカンダリ接続を解放したことを示す。
【０１８６】
このように、前記端末デバイスは、前記端末デバイスと前記第２のメインアクセスネットワークデバイスとのメイン接続及び前記端末デバイスと前記セカンダリアクセスネットワークデバイスとのセカンダリ接続を介してデータ伝送を行うことができない。
【０１８７】
Ｓ５１２において、前記第１のメインアクセスネットワークデバイスが前記第１のメッセージに基づいて、前記セカンダリ接続を再開し又は前記セカンダリ接続を解放すると確定し、前記セカンダリ接続を再開すると確定する場合、前記第１のメインアクセスネットワークデバイスが前記セカンダリ接続の再開を制御し、Ｓ５１３に行進する。
【０１８８】
前記第１のメインアクセスネットワークが前記第１のメッセージに基づいて、前記端末デバイスと前記第１のメインアクセスネットワークデバイスとのセカンダリ接続を制御することは、Ｓ２２０の内容を参照し、ここで説明を省略する。
【０１８９】
Ｓ５１３において、前記第１のメインアクセスネットワークデバイスが前記セカンダリアクセスネットワークデバイスに第２のメッセージを送信し、前記第２のメッセージは、前記セカンダリ接続を再開するように要求する。
【０１９０】
Ｓ５１４において、前記セカンダリアクセスネットワークデバイスが前記第１のメインアクセスネットワークデバイスに前記第２のメッセージの応答メッセージを返信し、前記第２のメッセージの応答メッセージは、前記セカンダリアクセスネットワークデバイスが前記セカンダリ接続を再開したことを示す。
【０１９１】
Ｓ５１５において、前記第１のメインアクセスネットワークデバイスが前記端末デバイスに第３のメッセージを送信し、前記第３のメッセージは、前記端末デバイスが前記セカンダリ接続を再開するように要求する。
【０１９２】
前記端末デバイスが非アクティブ状態に入る前に、前記端末デバイスのダブル接続又は複数の接続は、前記端末デバイスと前記第２のメインアクセスネットワークデバイスとのメイン接続及び前記端末デバイスと前記セカンダリアクセスネットワークデバイスとのセカンダリ接続を含む。前記Ｓ５１５の後、前記端末デバイスのダブル接続又は複数の接続は、前記端末デバイスと前記第１のメインアクセスネットワークデバイスとのメイン接続及び前記端末デバイスと前記セカンダリアクセスネットワークデバイスとのセカンダリ接続を含み、この場合、前記端末デバイスは、前記端末デバイスと前記第１のメインアクセスネットワークデバイスとメイン接続及び前記端末デバイスと前記セカンダリアクセスネットワークデバイスとのセカンダリ接続を介してデータ伝送を行うことができる。
【０１９３】
任意選択で、前記第１のメッセージがＲＲＣ接続確立要求メッセージである場合、前記第３のメッセージがＲＲＣ接続確立応答メッセージであってもよく、又は、前記第１のメッセージがＲＲＣ接続確立完了メッセージである場合、前記第３のメッセージがＲＲＣ接続再構成メッセージであってもよい。
【０１９４】
又は、前記第１のメインアクセスネットワークデバイスが前記第１のメッセージに基づいて、前記セカンダリ接続を解放する必要があると確定する場合、前記第１のメインアクセスネットワークデバイスが前記セカンダリ接続の解放を制御し、Ｓ５１６に行進する。
【０１９５】
Ｓ５１６において、前記第１のメインアクセスネットワークデバイスが前記セカンダリアクセスネットワークデバイスに第４のメッセージを送信し、前記第４のメッセージは、前記セカンダリ接続を解放するように要求する。
【０１９６】
Ｓ５１７において、前記セカンダリアクセスネットワークデバイスが前記第１のメインアクセスネットワークデバイスに前記第４のメッセージの応答メッセージに返信し、前記第４のメッセージの応答メッセージは、前記セカンダリアクセスネットワークデバイスが前記セカンダリ接続を解放したことを示す。
【０１９７】
Ｓ５１８において、前記第１のメインアクセスネットワークデバイスが前記端末デバイスに第５のメッセージを送信し、前記第５のメッセージは、前記端末デバイスが前記セカンダリ接続を解放するように要求する。
【０１９８】
前記端末デバイスが前記第５のメッセージを受信した後、前記セカンダリ接続に関連する構成情報を解放する。
【０１９９】
任意選択で、前記第１のメッセージがＲＲＣ接続確立要求メッセージである場合、前記第５のメッセージがＲＲＣ接続確立応答メッセージであってもよく、又は、前記第１のメッセージがＲＲＣ接続確立完了メッセージである場合、前記第５のメッセージがＲＲＣ接続再構成メッセージであってもよい。
【０２００】
以上、図２〜図５を参照し、本願の方法の実施例を説明しており、以下、図６〜図９を参照し、本願のデバイスの実施例を説明し、なお、デバイスの実施例が方法の実施例に対応し、同様の内容は方法の実施例を参照する。
【０２０１】
図６本願の実施例におけるアクセスネットワークデバイスのブロック図である。図５のアクセスネットワークデバイス６００は、通信モジュール６１０及び制御モジュール６２０を含む。
【０２０２】
通信モジュール６１０は、特定の状態にある端末デバイスが上りデータを伝送する必要がある場合に送信した第１のメッセージを受信するように構成される。
【０２０３】
制御モジュール６２０は、前記第１のメッセージに基づいて前記端末デバイスとセカンダリアクセスネットワークデバイスとのセカンダリ接続を制御するように構成される。
【０２０４】
任意選択で、いくつかの実施例において、前記特定の状態は、サスペンド状態又は非アクティブ状態である。
【０２０５】
任意選択で、いくつかの実施例において、前記第１のメッセージは、無線リソース制御ＲＲＣメッセージである。 
任意選択で、いくつかの実施例において、前記第１のメッセージは、前記端末デバイスを第１の状態から第２の状態に遷移させるように要求するＲＲＣメッセージであり、又は、前記端末デバイスが前記第１の状態から前記第２の状態に遷移したことを示すＲＲＣメッセージである。
【０２０６】
任意選択で、いくつかの実施例において、前記端末デバイスが前記特定の状態に遷移する前に接続された第２のメインアクセスネットワークデバイスと前記アクセスネットワークデバイスとが同じである場合、前記制御モジュール６２０は、さらに、
前記通信モジュール６１０が前記第１のメッセージを受信する前に、前記端末デバイスとセカンダリアクセスネットワークデバイスとのセカンダリ接続をサスペンドし、前記端末デバイスを前記特定の状態に遷移させるように構成される。
【０２０７】
任意選択で、いくつかの実施例において、前記制御モジュール６２０は、
前記第１のメッセージがセカンダリアクセスネットワークのリンク品質情報を含む場合、前記セカンダリアクセスネットワークのリンク品質情報に基づいて、前記端末デバイスと前記セカンダリアクセスネットワークデバイスとのセカンダリ接続を制御するように構成される。
【０２０８】
任意選択で、いくつかの実施例において、前記制御モジュール６２０は、
前記セカンダリアクセスネットワークのリンク品質情報が前記セカンダリアクセスネットワークが利用可能であることを示し、又は、前記セカンダリアクセスネットワークのリンク品質が所定の条件を満たしている場合、前記端末デバイスと前記セカンダリアクセスネットワークデバイスとのセカンダリ接続を再開するように制御し、又は、
前記セカンダリアクセスネットワークのリンク品質情報が前記セカンダリアクセスネットワークが利用不可であることを示し、又は、前記セカンダリアクセスネットワークのリンク品質が所定の条件を満たさない場合、前記端末デバイスと前記セカンダリアクセスネットワークデバイスとのセカンダリ接続を解放するように制御するように構成される。
【０２０９】
任意選択で、いくつかの実施例において、前記制御モジュール６２０は、さらに、
前記セカンダリアクセスネットワークのリンク品質情報が前記セカンダリアクセスネットワークのリンク品質値を示す場合、前記セカンダリアクセスネットワークのリンク品質値に基づいて、前記端末デバイスと前記セカンダリアクセスネットワークデバイスとのセカンダリ接続を制御するように構成される。
【０２１０】
任意選択で、いくつかの実施例において、前記制御モジュール６２０は、
前記セカンダリアクセスネットワークのリンク品質値が所定のリンク品質閾値の以上である場合、前記端末デバイスと前記セカンダリアクセスネットワークデバイスとのセカンダリ接続を再開するように制御し、又は、
前記セカンダリアクセスネットワークのリンク品質値が前記所定のリンク品質閾値より小さい場合、前記端末デバイスと前記セカンダリアクセスネットワークデバイスとのセカンダリ接続を解放するように制御するように構成される。
【０２１１】
任意選択で、いくつかの実施例において、前記制御モジュール６２０は、さらに、
前記第１のメッセージが前記セカンダリアクセスネットワークのリンク品質情報を含まれない場合、前記端末デバイスと前記セカンダリアクセスネットワークデバイスとのセカンダリ接続を解放するように制御するように構成される。
【０２１２】
任意選択で、いくつかの実施例において、前記第１のメッセージが第１の指示情報を含み、前記第１の指示情報は、前記端末デバイスが前記セカンダリ接続の再開又は解放を要求することを示し、
前記制御モジュール６２０は、さらに、
前記第１のメッセージの前記第１の指示情報に基づいて、前記端末デバイスとセカンダリアクセスネットワークデバイスとのセカンダリ接続を制御するように構成される。
【０２１３】
任意選択で、いくつかの実施例において、前記制御モジュール６２０は、
前記第１の指示情報が前記端末デバイスが前記セカンダリ接続の再開を要求することを示す場合、前記端末デバイスと前記セカンダリアクセスネットワークデバイスとのセカンダリ接続を再開するように制御し、又は、
前記第１の指示情報が前記端末デバイスが前記セカンダリ接続の解放を要求することを示す場合、前記端末デバイスと前記セカンダリアクセスネットワークデバイスとのセカンダリ接続を解放するように制御するように構成される。
【０２１４】
任意選択で、いくつかの実施例において、前記通信モジュール６１０は、さらに、
前記セカンダリアクセスネットワークデバイスに第２のメッセージを送信し、前記第２のメッセージは、
前記セカンダリアクセスネットワークデバイスにより送信された前記第２のメッセージの応答メッセージを受信するように構成され、
前記セカンダリネットワークデバイスが前記セカンダリ接続を再開するように要求し、前記第２のメッセージの応答メッセージは、前記セカンダリアクセスネットワークデバイスが前記セカンダリ接続を再開したことを示す。
【０２１５】
任意選択で、いくつかの実施例において、前記通信モジュール６１０は、さらに、
前記端末デバイスに第３のメッセージを送信するように構成され、前記第３のメッセージは、前記セカンダリ接続に関連する構成を再開することを前記端末デバイスに通知する。
【０２１６】
任意選択で、いくつかの実施例において、前記第３のメッセージは、ＲＲＣメッセージである。
【０２１７】
任意選択で、いくつかの実施例において、前記通信モジュール６１０は、さらに、
前記セカンダリネットワークデバイスに第４のメッセージを送信し、前記セカンダリアクセスネットワークデバイスにより送信された前記第４のメッセージの応答メッセージを受信するように構成され、
前記第４のメッセージは、前記セカンダリネットワークデバイスが前記セカンダリ接続を解放するように要求し、前記第４のメッセージの応答メッセージは、前記セカンダリアクセスネットワークデバイスが前記セカンダリ接続を解放したことを示す。
【０２１８】
任意選択で、いくつかの実施例において、前記通信モジュール６１０は、さらに、
前記端末デバイスに第５のメッセージを送信するように構成され、前記第５のメッセージは、前記セカンダリアクセスネットワークデバイスが前記セカンダリ接続を解放したことを前記端末デバイスに通知する。
【０２１９】
任意選択で、いくつかの実施例において、前記第５のメッセージが第２の指示情報を含み、前記第２の指示情報は、前記端末デバイスが前記セカンダリ接続に関連する構成情報を解放するように指示する。
【０２２０】
任意選択で、いくつかの実施例において、前記第５のメッセージは、ＲＲＣメッセージである。 
任意選択で、いくつかの実施例において、前記端末デバイスが前記特定の状態に遷移する前に接続された第２のメインアクセスネットワークデバイスと前記アクセスネットワークデバイスとが異なる場合、前記アクセスネットワークデバイスは、さらに、
前記第２のメインアクセスネットワークデバイスから前記セカンダリ接続の構成情報を取得するように構成される取得モジュールを含む。
【０２２１】
任意選択で、いくつかの実施例において、前記通信モジュール６１０は、
前記第２のメインアクセスネットワークデバイスに第６のメッセージを送信し、前記第２のメインアクセスネットワークデバイスにより送信された前記第６のメッセージの応答メッセージを受信するように構成され、
前記第６のメッセージは、前記端末デバイスの前記第２のメインアクセスネットワークのコンテキスト情報を取得するように要求し、前記第６のメッセージの応答メッセージが前記セカンダリ接続の構成情報を含む。
【０２２２】
具体的には、該アクセスネットワークデバイス６００は、上記方法２００、方法４００又は方法５００において説明された第１アクセスネットワークデバイスに対応(例えば、構成可能又はそれ自体可能)され得、そして該アクセスネットワークデバイス６００における各モジュール又はユニットは、それぞれ、上記方法２００、方法４００又は方法５００において第１アクセスネットワークデバイスにより実行される各動作又は処理手順を実行するために使用され、ここで、詳しい説明を避けるために、その詳細な説明は省略される。
【０２２３】
図７本願の実施例における端末デバイスのブロック図である。図７の端末デバイス７００は、確定モジュール７１０及び通信モジュール７２０を含む。
【０２２４】
確定モジュール７１０は、前記端末デバイスが特定の状態にある場合、上りデータの伝送する必要があると確定するように構成される。
【０２２５】
通信モジュール７２０は、第１のメインアクセスネットワークデバイスに第１のメッセージを送信するように構成され、前記第１のメッセージは、前記第１のメインアクセスネットワークデバイスが前記端末デバイスとセカンダリアクセスネットワークデバイスとのセカンダリ接続を制御するために用いられる。
【０２２６】
任意選択で、いくつかの実施例において、前記特定の状態は、サスペンド状態又は非アクティブ状態である。
【０２２７】
任意選択で、いくつかの実施例において、前記第１のメッセージは、無線リソース制御ＲＲＣメッセージである。
【０２２８】
任意選択で、いくつかの実施例において、前記第１のメッセージが第１のＲＲＣメッセージ又は第２のＲＲＣメッセージであり、前記第１のＲＲＣメッセージは、前記端末デバイスを第１の状態から第２の状態に遷移させるように要求し、前記第２のＲＲＣメッセージは、前記端末デバイスが前記第１の状態から前記第２の状態に遷移したことを示す。
【０２２９】
任意選択で、いくつかの実施例において、前記端末デバイスは、さらに、
前記セカンダリアクセスネットワークのリンク品質を検定するように構成される検定モジュールを含み、
前記通信モジュール７２０は、さらに、
前記セカンダリアクセスネットワークのリンク品質情報を含む前記第１のメッセージを前記第１のメインアクセスネットワークデバイスに送信するように構成される。
【０２３０】
任意選択で、いくつかの実施例において、前記セカンダリアクセスネットワークのリンク品質情報は、前記セカンダリアクセスネットワークが利用可能であること、又は、前記セカンダリアクセスネットワークのリンク品質が所定の条件を満たしていることを示し、又は、
前記セカンダリアクセスネットワークのリンク品質情報は、前記セカンダリアクセスネットワークが利用不可であること、又は、前記セカンダリアクセスネットワークのリンク品質が所定の条件を満たさないことを示し、又は、
前記セカンダリアクセスネットワークのリンク品質情報は、前記セカンダリアクセスネットワークのリンク品質値を示す。
【０２３１】
任意選択で、いくつかの実施例において、前記第１のメッセージが第１の指示情報を含み、前記第１の指示情報は、前記端末デバイスが前記セカンダリ接続の再開又は解放を要求することを示す。
【０２３２】
任意選択で、いくつかの実施例において、前記通信モジュール７２０は、さらに、
前記第１のメインアクセスネットワークデバイスにより送信された第２のメッセージを受信するように構成され、前記第２のメッセージは、前記セカンダリ接続に関連する構成情報を再開することを前記端末デバイスに通知する。
【０２３３】
任意選択で、いくつかの実施例において、前記第２のメッセージはＲＲＣメッセージである。
【０２３４】
任意選択で、いくつかの実施例において、前記通信モジュール７２０は、さらに、
前記第１のメインアクセスネットワークデバイスにより送信された第３のメッセージを受信するように構成され、前記第３のメッセージは、前記セカンダリアクセスネットワークデバイスが前記セカンダリ接続を解放したことを前記端末デバイスに通知する。
【０２３５】
任意選択で、いくつかの実施例において、前記第３のメッセージが第２の指示情報を含み、前記第２の指示情報は、前記端末デバイスが前記セカンダリ接続に関連する構成情報を解放するように指示する。
【０２３６】
任意選択で、いくつかの実施例において、前記第３のメッセージは、ＲＲＣメッセージである。
【０２３７】
任意選択で、いくつかの実施例において、前記通信モジュール７２０は、さらに、
前記第２のアクセスネットワークデバイスにより送信された第４のメッセージを受信するように構成され、前記第２のアクセスネットワークデバイスは、前記端末デバイスが前記特定の状態に遷移する前に接続されたメインアクセスネットワークデバイスであり、 
前記端末デバイスは、さらに、
前記第４のメッセージに基づいて、前記端末デバイスと前記セカンダリアクセスネットワークデバイスとのセカンダリ接続をサスペンドするように構成される制御モジュールを含む。
【０２３８】
任意選択で、いくつかの実施例において、前記第４のメッセージはＲＲＣメッセージである。
【０２３９】
具体的に、該端末デバイス７００は、上記方法３００、方法４００又は方法５００で説明された端末デバイスに対応(例えば、構成又はそれ自体であってもよい)することができ、且つ、該端末デバイス７００における各モジュール又はユニットは、それぞれ、上記方法３００、方法４００又は方法５００で端末デバイスが実行する各動作又は処理手順を実行するために使用されるが、ここでは、詳しい説明を避けるために省略する。
【０２４０】
図８に示されるように、本願の実施例は、図２の方法２００、方法４００、又は方法５００に対応する第１のアクセスネットワークデバイスのコンテンツを実行するために使用され得る、図６のアクセスネットワークデバイス６００であり得るアクセスネットワークデバイス８００をさらに提供する。アクセスネットワークデバイス８００は、入力インターフェース８１０、出力インターフェース８２０、プロセッサ８３０、及びメモリ８４０を含み、入力インターフェース８１０、出力インターフェース８２０、プロセッサ８３０、及びメモリ８４０は、バスシステムによって接続され得る。メモリ８４０は、プログラム、命令、またはコードを含む命令を記憶するために使用される。プロセッサ８３０は、メモリ８４０内のプログラム、命令、又はコードを実行して、入力インターフェース８１０を制御して信号を受信し、出力インターフェース８２０を制御して信号を送信し、且つ前述の方法の実施例の動作を完了する。
【０２４１】
プロセッサ８３０は、本願の実施例において、中央処理装置( Ｃｅｎｔｒａｌ Ｐｒｏｃｅｓｓｉｎｇ Ｕｎｉｔ：ＣＰＵ)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０２４２】
メモリ８４０は、読み出し専用メモリおよびランダムアクセスメモリを含み得、プロセッサ８３０に命令およびデータを提供し得る。メモリ８４０の一部は、不揮発性ランダムアクセスメモリも含み得る。例えば、メモリ８４０は、デバイスタイプの情報をさらに記憶してもよい。
【０２４３】
実施例において、方法の各コンテンツは、プロセッサ８３０内のハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体はメモリ８４０に位置し、プロセッサ８３０はメモリ８４０内の情報を読み出し、ハードウェアとともに上述した方法の内容を実現する。重複を避けるため、ここでは詳細な説明は省略する。
【０２４４】
具体的な実施例において、図６のアクセスネットワークデバイスが含む制御モジュール６２０は図８のプロセッサ８３０で実現され、アクセスネットワークデバイス６００が含む通信モジュール６１０は図８の入力インターフェース８１０及び出力インターフェース８２０で実現される。
【０２４５】
図９に示すように、本願の実施例は、図３の方法３００、方法４００、又は方法５００に対応する端末デバイスのコンテンツを実行するために使用され得る、図７の端末デバイス７００であり得る端末デバイス９００を更に提供する。端末デバイス９００は、入力インターフェース９１０、出力インターフェース９２０、プロセッサ９３０、及びメモリ９４０を含み、入力インターフェース９１０、出力インターフェース９２０、プロセッサ９３０、及びメモリ９４０は、バスシステムによって接続されてもよい。メモリ９４０は、プログラム、命令、またはコードを含むデータを記憶するために使用される。プロセッサ９３０は、メモリ９４０内のプログラム、命令、又はコードを実行して、入力インターフェース９１０を制御して信号を受信し、出力インターフェース９２０を制御して信号を送信し、上述の方法の実施例の動作を完了する。
【０２４６】
プロセッサ９３０は、本願の実施例において、中央処理装置( Ｃｅｎｔｒａｌ Ｐｒｏｃｅｓｓｉｎｇ Ｕｎｉｔ：ＣＰＵ)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０２４７】
メモリ９４０は、読み出し専用メモリ及びランダムアクセスメモリを含み得、プロセッサ９３０に命令及びデータを提供し得る。メモリ９４０の一部は、不揮発性ランダムアクセスメモリも含み得る。例えば、メモリ９４０は、デバイスタイプの情報をさらに記憶してもよい。
【０２４８】
実施例において、方法の各コンテンツは、プロセッサ９３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、メモリ９４０に位置し、プロセッサ９３０は、メモリ９４０内の情報を読み取り、そのハードウェアとともに、上記方法の内容を達成する。重複を避けるため、ここでは詳細な説明は省略する。
【０２４９】
具体的な実施例において、図７の端末デバイスが含む確定モジュール７１０は、図９のプロセッサ９３０で実現され、端末デバイス７００が含む通信モジュール７２０は、図９の入力インターフェース９１０及び出力インターフェース９２０で実現される。
【０２５０】
本願の実施例は、命令を含む１つ以上のプログラムを記憶するコンピュータ可読記憶媒体をさらに提供し、１つ以上のプログラムが命令を含み、当該命令が複数のアプリケーションの携帯電子機器に実行されると、図２から図５に示される実施例の方法を実行することができる。
【０２５１】
本願の実施例は、命令を含む１つ以上のプログラムを記憶するコンピュータ可読記憶媒体をさらに提供し、１つ以上のプログラムが命令を含み、当該命令が複数のアプリケーションの携帯電子機器に実行されると、図２から図５に示される実施例の方法を実行することができる。
【０２５２】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０２５３】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０２５４】
本明細書で提供するいくつかの実施例では、開示されたシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２５５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０２５６】
また、本願の各実施例における各機能部は、１つの処理部に集積されてもよいし、各部は、物理的に別個に存在してもよいし、２つ以上の部が１つの部に集積されてもよい。
【０２５７】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータ装置(パーソナルコンピュータ、サーバ、またはネットワークデバイスなどであってもよい)に本願の様々な実施例による方法のステップの全てまたは一部を実行させるための複数の命令を含む１つの記憶媒体に記憶されたソフトウェア製品の形態で具現化されてもよい。なお、前記記憶媒体としては、Ｕ-ディスク、リムーバブルハードディスク、リードオンリーメモリ(Ｒｅａｄ−Ｏｎｌｙ Ｍｅｍｏｒｙ：ＲＯＭ )、ランダムアクセスメモリ(Ｒａｎｄｏｍ Ａｃｃｅｓｓ Ｍｅｍｏｒｙ：ＲＡＭ)、磁気ディスク、光ディスク等のプログラムコードを記憶できる種々の媒体を包含する。
【０２５８】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2020519075.tif 000003
【図２】
2020519075.tif 000004
【図３】
2020519075.tif 000005
【図４】
2020519075.tif 000006
【図５】
2020519075.tif 000007
【図６】
2020519075.tif 000008
【図７】
2020519075.tif 000009
【図８】
2020519075.tif 000010
【図９】
2020519075.tif 000011
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
第１のメインアクセスネットワークデバイスが、特定の状態にある端末デバイスが上りデータを送信する必要がある場合に送信した第１のメッセージを受信することと、
前記第１のメインアクセスネットワークデバイスが、前記第１のメッセージに基づいて、前記端末デバイスとセカンダリアクセスネットワークデバイスとのセカンダリ接続を制御することとを含む
ことを特徴とする通信方法。
【請求項２】
前記特定の状態は、サスペンド状態又は非アクティブ状態である
ことを特徴とする請求項１に記載の通信方法。
【請求項３】
前記第１のメッセージは、無線リソース制御ＲＲＣメッセージである
ことを特徴とする請求項１又は２に記載の通信方法。
【請求項４】
前記第１のメッセージは、前記端末デバイスを第１の状態から第２の状態に遷移させるように要求するＲＲＣメッセージ、又は、前記端末デバイスが前記第１の状態から前記第２の状態に遷移したことを示すＲＲＣメッセージである
ことを特徴とする請求項３に記載の通信方法。
【請求項５】
前記端末デバイスが前記特定の状態に遷移する前に接続された第２のメインアクセスネットワークデバイスと前記第１のメインアクセスネットワークデバイスとが同じである場合、第１のメインアクセスネットワークデバイスが、特定の状態にある端末デバイスが上りデータを送信する必要がある場合に送信した第１のメッセージを受信する前に、前記方法は、さらに、
前記第１のメインアクセスネットワークデバイスが、前記端末デバイスとセカンダリアクセスネットワークデバイスとのセカンダリ接続をサスペンドし、前記端末デバイスを前記特定の状態に遷移させることを含む
ことを特徴とする請求項１〜４のいずれか１項に記載の通信方法。
【請求項６】
前記第１のメインアクセスネットワークデバイスが、前記第１のメッセージに基づいて、前記端末デバイスとセカンダリアクセスネットワークデバイスとのセカンダリ接続を制御することは、
前記第１のメッセージがセカンダリアクセスネットワークのリンク品質情報を含む場合、前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することを含む
ことを特徴とする請求項１〜５のいずれか１項に記載の通信方法。
【請求項７】
前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記セカンダリアクセスネットワークのリンク品質情報が前記セカンダリアクセスネットワークのリンク品質値を示す場合、前記第１のメインアクセスネットワークデバイスが、前記セカンダリアクセスネットワークのリンク品質値に基づいて、前記端末デバイスと前記セカンダリアクセスネットワークデバイスとのセカンダリ接続を制御することを含む
ことを特徴とする請求項６に記載の通信方法。
【請求項８】
前記第１のメインアクセスネットワークデバイスが、前記セカンダリアクセスネットワークのリンク品質値に基づいて、前記端末デバイスとセカンダリアクセスネットワークデバイスとのセカンダリ接続を制御することは、
前記セカンダリアクセスネットワークのリンク品質値が所定のリンク品質閾値の以上である場合、前記第１のメインアクセスネットワークデバイスが、前記端末デバイスと前記セカンダリアクセスネットワークデバイスとのセカンダリ接続を再開するように制御すること、又は、
前記セカンダリアクセスネットワークのリンク品質値が前記所定のリンク品質閾値より小さい場合、前記第１のメインアクセスネットワークデバイスが、前記端末デバイスと前記セカンダリアクセスネットワークデバイスとのセカンダリ接続を解放するように制御することを含む
ことを特徴とする請求項７に記載の通信方法。
【請求項９】
前記第１のメインアクセスネットワークデバイスが前記セカンダリアクセスネットワークのリンク品質情報に基づいて、前記端末デバイスと前記セカンダリアクセスネットワークデバイスとのセカンダリ接続を制御することは、
前記第１のメッセージが前記セカンダリアクセスネットワークのリンク品質情報を含まれない場合、前記第１のメインアクセスネットワークデバイスが、前記端末デバイスと前記セカンダリアクセスネットワークデバイスとのセカンダリ接続を解放するように制御することを含む
ことを特徴とする請求項１〜５のいずれか１項に記載の通信方法。
【請求項１０】
前記第１のメインアクセスネットワークデバイスが、前記端末デバイスと前記セカンダリアクセスネットワークデバイスとのセカンダリ接続を再開するように制御することは、
前記第１のメインアクセスネットワークデバイスが前記セカンダリアクセスネットワークデバイスに第２のメッセージを送信することと、
前記第１のメインアクセスネットワークデバイスが前記セカンダリアクセスネットワークデバイスにより送信された前記第２のメッセージの応答メッセージを受信することとを含み、
前記第２のメッセージは、前記セカンダリネットワークデバイスが前記セカンダリ接続を再開するように要求し、前記第２のメッセージの応答メッセージは、前記セカンダリアクセスネットワークデバイスが前記セカンダリ接続を再開したことを示す
ことを特徴とする請求項８に記載の通信方法。
【請求項１１】
前記第１のメインアクセスネットワークデバイスが前記セカンダリアクセスネットワークデバイスにより送信された前記第２のメッセージの応答メッセージを受信した後、前記方法は、さらに、
前記第１のメインアクセスネットワークデバイスが前記端末デバイスに第３のメッセージを送信することを含み、
前記第３のメッセージは、前記セカンダリ接続に関連する構成を再開することを前記端末デバイスに通知する
ことを特徴とする請求項１０に記載の通信方法。
【請求項１２】
前記第３のメッセージは、ＲＲＣメッセージである
ことを特徴とする請求項１１に記載の通信方法。
【請求項１３】
前記第１のメインアクセスネットワークデバイスが、前記端末デバイスと前記セカンダリアクセスネットワークデバイスとのセカンダリ接続を解放するように制御することは、
前記第１のメインアクセスネットワークデバイスが前記セカンダリネットワークデバイスに第４のメッセージを送信することと、
前記第１のメインアクセスネットワークデバイスが前記セカンダリアクセスネットワークデバイスにより送信された前記第４のメッセージの応答メッセージを受信することとを含み、
前記第４のメッセージは、前記セカンダリアクセスネットワークデバイスが前記セカンダリ接続を解放するように要求し、前記第４のメッセージの応答メッセージは、前記セカンダリアクセスネットワークデバイスが前記セカンダリ接続を解放したことを示す
ことを特徴とする請求項８に記載の通信方法。
【請求項１４】
前記第１のメインアクセスネットワークデバイスが前記セカンダリアクセスネットワークデバイスにより送信された前記第４のメッセージの応答メッセージを受信した後、前記方法は、さらに、
前記第１のメインアクセスネットワークデバイスが前記端末デバイスに第５のメッセージを送信することを含み、前記第５のメッセージは、前記セカンダリアクセスネットワークデバイスが前記セカンダリ接続を解放したことを前記端末デバイスに通知する
ことを特徴とする請求項１３に記載の通信方法。
【請求項１５】
前記第５のメッセージが第２の指示情報を含み、前記第２の指示情報は、前記端末デバイスが前記セカンダリ接続に関連する構成情報を解放するように指示する
ことを特徴とする請求項１４に記載の通信方法。
【請求項１６】
前記端末デバイスが前記特定の状態に遷移する前に接続された第２のメインアクセスネットワークデバイスと前記第１のメインアクセスネットワークデバイスとが異なる場合、  前記方法は、さらに、
前記第１のメインアクセスネットワークデバイスが前記第２のメインアクセスネットワークデバイスから前記セカンダリ接続の構成情報を取得することを含み、前記セカンダリ接続の構成情報は、前記第１のメインアクセスネットワークデバイスが前記セカンダリ接続の構成情報に基づいて前記セカンダリ接続を制御するために用いられる
ことを特徴とする請求項１〜１５のいずれか１項に記載の通信方法。
【請求項１７】
前記第１のメインアクセスネットワークデバイスが前記第２のメインアクセスネットワークデバイスから前記セカンダリ接続の構成情報を取得することは、
前記第１のメインアクセスネットワークデバイスが前記第２のメインアクセスネットワークデバイスに第６のメッセージを送信することと、
前記第１のメインアクセスネットワークデバイスが前記第２のメインアクセスネットワークデバイスにより送信された前記第６のメッセージの応答メッセージを受信することとを含み、
前記第６のメッセージは、前記端末デバイスの前記第２のメインアクセスネットワークのコンテキスト情報を取得するように要求し、前記第６のメッセージの応答メッセージが前記セカンダリ接続の構成情報を含む
ことを特徴とする請求項１６に記載の通信方法。
【請求項１８】
特定の状態にある端末デバイスが上りデータの伝送が必要であると確定することと、
前記端末デバイスが第１のメインアクセスネットワークデバイスに第１のメッセージを送信することとを含み、
前記第１のメッセージは、前記第１のメインアクセスネットワークデバイスが前記端末デバイスとセカンダリアクセスネットワークデバイスとのセカンダリ接続を制御するために用いられる
ことを特徴とする通信方法。
【請求項１９】
請求項１〜７のいずれか1項に記載の方法を実行するユニットを含む
ことを特徴とする端末デバイス。
【請求項２０】
請求項１８に記載の方法を実行するユニットを含む
ことを特徴とするアクセスネットワークデバイス。
【国際調査報告】
2020519075.tif 000012
2020519075.tif 000013
2020519075.tif 000014
2020519075.tif 000015